(57)【要約】【課題】光源部からの光の漏れ出しを抑制することが可能な発光ユニットおよび空気調和装置を提供する。【解決手段】発光ユニット９は、ＬＥＤ６１と、ＬＥＤ６１に接続された光源用電気配線９７と、ＬＥＤ６１を内部に収容するユニットケーシング９０と、を備えており、光源用電気配線９７の少なくとも一部は、ユニットケーシング９０における下部ケーシング９０ｂの主面８３ａよりも光が透過しやすい目地９６と、ＬＥＤ６１との間に位置している。【選択図】図９
2019133795.tif 000002
【特許請求の範囲】
【請求項１】
光源部（６１）と、
前記光源部に接続される電気配線（９７）と、
前記光源部を内部に収容するケーシング（９０）と、
を備え、
前記ケーシングは、第１部分（８３ａ、８３ｂ）と、前記第１部分よりも光が透過しやすい第２部分（９６、Ｐ）と、を有しており、
前記電気配線の少なくとも一部は、前記光源部と前記ケーシングの前記第２部分との間に位置している、
発光ユニット（９）。
【請求項２】
前記ケーシングは、複数のケーシング部品（９０ｂ、９０ｃ）によって構成されており、
前記ケーシングの前記第２部分は、前記複数のケーシング部品により構成される目地（９６）である、
請求項１に記載の発光ユニット。
【請求項３】
前記電気配線の少なくとも一部は、前記目地に隣接している、
請求項２に記載の発光ユニット。
【請求項４】
前記電気配線の少なくとも一部は、前記目地に沿って配置されている、
請求項２または３に記載の発光ユニット。
【請求項５】
前記ケーシングは、内部に、前記電気配線の位置決めのためのリブ（８６、９２）を有している、
請求項１から４のいずれか１項に記載の発光ユニット。
【請求項６】
前記リブ（８６）の少なくとも一部は、前記光源部と前記ケーシングの前記第２部分との間に位置している、
請求項５に記載の発光ユニット。
【請求項７】
請求項１から６のいずれか１項に記載の発光ユニット（９）と、
前記発光ユニットと前記電気配線を介して接続された空調室内ユニット（３）と、
前記空調室内ユニットと共に冷媒回路を構成する空調室外ユニット（２）と、
を備えた空気調和装置（１）。
【発明の詳細な説明】
【技術分野】
【０００１】
本開示は、発光ユニットおよび空気調和装置に関する。
【背景技術】
【０００２】
従来より、天井等に対して設置され、対象空間を照らすための発光ユニットが用いられている。このような発光ユニットとしては、例えば、特許文献１（特開２０１３−２０２９６号）に記載されているように、ＬＥＤ等の発光素子が筐体内部に収容されているものがある。
【発明の概要】
【発明が解決しようとする課題】
【０００３】
このように、筐体内部にＬＥＤ等の発光素子を収容した発光ユニットでは、発光素子から室内側に向けて形成された発光経路に発光素子からの光を通過させる構造とすることで、対象空間を照らしている。ところが、発光素子からの光が、筐体のうち意図した発光経路以外の箇所から漏れ出してしまうと、意匠性に優れない場合がある。
【０００４】
本開示は、上述した点に鑑みてなされたものであり、本開示における課題は、光源部からの光の漏れ出しを抑制することが可能な発光ユニットおよび空気調和装置を提供することにある。
【課題を解決するための手段】
【０００５】
第１観点に係る発光ユニットは、光源部と、電気配線と、ケーシングと、を備えている。電気配線は、光源部に接続されている。ケーシングは、光源部を内部に収容する。ケーシングは、第１部分と、第１部分よりも光が透過しやすい第２部分と、を有している。電気配線の少なくとも一部は、光源部とケーシングの第２部分との間に位置している。
【０００６】
なお、ケーシングは、照らそうとする室内等の対象空間に光源部からの光を導くための導光路を、第２部分とは別に有していることが好ましい。
【０００７】
この発光ユニットでは、ケーシングにおいて比較的光を透過しやすい第２部分と光源部との間に電気配線の少なくとも一部が位置するため、光源部からの光がケーシングの第２部分に到達しにくい。このため、光源部からの光のケーシング外への漏れ出しを抑制することができる。
【０００８】
第２観点に係る発光ユニットは、第１観点に係る発光ユニットであって、ケーシングは、複数のケーシング部品によって構成されている。ケーシングの第２部分は、複数のケーシング部品により構成される目地である。
【０００９】
この発光ユニットでは、光源部からの光がケーシングの目地を介して漏れ出すことを抑制できる。
【００１０】
第３観点に係る発光ユニットは、第２観点に係る発光ユニットであって、電気配線の少なくとも一部は、目地に隣接している。
【００１１】
ここで、目地に隣接しているとは、電気配線とケーシングの目地の内側縁部までの最近接距離が、光源部からケーシングの目地の内側縁部までの最近接距離の６割以下（より好ましくは半分以下）であること、または、電気配線とケーシングの目地の内側縁部までの最近接距離が、電気配線の断面のうち最も太い部分の長さの１０倍以下であること、のいずれかを満たす場合とすることができる。
【００１２】
この発光ユニットでは、光源部からの光が電気配線を回折してケーシングの第２部分に到達することを抑制できる。
【００１３】
第４観点に係る発光ユニットは、第２観点または第３観点に係る発光ユニットであって、電気配線の少なくとも一部は、目地に沿って配置されている。
【００１４】
この発光ユニットでは、ケーシングの目地に沿った光の漏れ出しを抑制できる。
【００１５】
第５観点に係る発光ユニットは、第１観点から第４観点のいずれかに係る発光ユニットであって、ケーシングは、内部に、電気配線の位置決めのためのリブを有している。
【００１６】
この発光ユニットでは、電気配線を、光源部からの光の漏れ出しを抑制させる位置に配置させやすい。
【００１７】
第６観点に係る発光ユニットは、第５観点に係る発光ユニットであって、リブの少なくとも一部は、光源部とケーシングの第２部分との間に位置している。
【００１８】
この発光ユニットでは、電気配線だけでなく、電気配線の位置決めのリブを用いて、光源部からの光がケーシングの第２部分に到達することを抑制することが可能になる。
【００１９】
第７観点に係る空気調和装置は、第１観点から第６観点のいずれかに係る発光ユニットと、空調室内ユニットと、空調室外ユニットと、を備えている。空調室内ユニットは、電気配線を介して発光ユニットと接続されている。空調室外ユニットは、空調室内ユニットと共に冷媒回路を構成する。
【００２０】
この空気調和装置は、空調室内ユニットと発光ユニットとを電源線および／または通信線によって接続させることが可能になる。
【図面の簡単な説明】
【００２１】
【図１】空気調和装置の概略構成図である。
【図２】室内ユニットの概略外観斜視図である。
【図３】室内ユニットの平面視概略構成図である。
【図４】室内ユニットの図３のＡ−Ａ断面における側面視概略構成図である。
【図５】発光ユニットの概略分解斜視図である。
【図６】上部ケーシングを斜め下方から見た外観概略斜視図である。
【図７】下部ケーシングを斜め上方から見た外観概略斜視図である。
【図８】カバーレンズを斜め上方から見た外観概略斜視図である。
【図９】下部ケーシングに対する電気配線の配置を説明する上面視概略説明図である。
【図１０】図９の矢印の方向からみた電気配線およびＬＥＤの位置関係を説明する側面視概略説明図である。
【図１１】空気調和装置の概略制御ブロック構成図である。
【図１２】ＬＥＤおよびブザーの制御フローチャートである。
【図１３】変形例（Ｂ）に係る空気調和装置の概略制御ブロック構成図である。
【発明を実施するための形態】
【００２２】
（１）空気調和装置の構成
図１に、空気調和装置１の概略構成図を示す。
【００２３】
空気調和装置１は、蒸気圧縮式の冷凍サイクルを行うことによって、建物等の室内の冷房および暖房を行うことが可能な装置である。
【００２４】
空気調和装置１は、主として、室外ユニット２と、室内ユニット３と、室外ユニット２と室内ユニット３とを接続する冷媒経路である液冷媒連絡管４およびガス冷媒連絡管５と、発光ユニット９と、を有している。そして、空気調和装置１の蒸気圧縮式の冷媒回路６は、室外ユニット２と、室内ユニット３とが冷媒連絡管４、５を介して接続されることによって構成されている。冷媒連絡管４、５は、空気調和装置１を建物等の設置場所に設置する際に、現地にて施工される冷媒管である。特に限定されないが、本実施形態では、当該冷媒回路６に作動冷媒としてＲ３２が充填されている。
【００２５】
（２）室外ユニット
室外ユニット２は、室外（建物の屋上や建物の壁面近傍等）に設置されており、冷媒回路６の一部を構成している。室外ユニット２は、主として、アキュムレータ７、圧縮機８と、四路切換弁１０と、室外熱交換器１１と、膨張機構としての室外膨張弁１２と、液側閉鎖弁１３と、ガス側閉鎖弁１４と、室外ファン１５と、室外制御部７２と、を有している。
【００２６】
アキュムレータ７は、ガス冷媒を圧縮機に供給するための容器であり、圧縮機８の吸入側に設けられている。
【００２７】
圧縮機８は、低圧のガス冷媒を吸入し、圧縮して高圧のガス冷媒を吐出する。
【００２８】
室外熱交換器１１は、冷房運転時には圧縮機８から吐出された冷媒の放熱器として機能し、暖房運転時には室内熱交換器５１から送られてくる冷媒の蒸発器として機能する熱交換器である。室外熱交換器１１は、その液側が室外膨張弁１２に接続されており、ガス側が四路切換弁１０に接続されている。
【００２９】
室外膨張弁１２は、冷房運転時には室外熱交換器１１において放熱された冷媒を室内熱交換器５１に送る前に減圧し、暖房運転時には室内熱交換器５１において放熱された冷媒を室外熱交換器１１に送る前に減圧することが可能な電動膨張弁である。
【００３０】
室外ユニット２の液側閉鎖弁１３には、液冷媒連絡管４の一端が接続されている。室外ユニット２のガス側閉鎖弁１４には、ガス冷媒連絡管５の一端が接続されている。
【００３１】
室外ユニット２の各機器および弁間は、冷媒管１６〜２２によって接続されている。
【００３２】
四路切換弁１０は、圧縮機８の吐出側が室外熱交換器１１側に接続されるとともに圧縮機８の吸入側がガス側閉鎖弁１４側に接続される状態（図１における四路切換弁１０の実線を参照）と、圧縮機８の吐出側がガス側閉鎖弁１４側に接続されるとともに圧縮機８の吸入側が室外熱交換器１１側に接続される状態（図１における四路切換弁１０の破線を参照）と、を切り換えることにより、後述する冷房運転の接続状態と暖房運転の接続状態とを切り換える。
【００３３】
室外ファン１５は、室外ユニット２の内部に配置され、室外空気を吸入して、室外熱交換器１１に室外空気を供給した後に、ユニット外に排出する空気流れを形成する。このように、室外ファン１５によって供給される室外空気は、室外熱交換器１１の冷媒との熱交換における冷却源又は加熱源として用いられる。
【００３４】
室外制御部７２は、室外ユニット２内に設けられており、後述する室内制御部７３と通信可能に接続されることで制御部７０の一部を構成しており、ＣＰＵ、ＲＯＭ、ＲＡＭ等を有している。室外制御部７２は、圧縮機８の駆動周波数と、四路切換弁１０の接続状態と、室外膨張弁１２の弁開度と、室外ファン１５の風量を制御する。
【００３５】
（３）室内ユニット
図２に、室内ユニット３の外観斜視図を示す。図３に、室内ユニット３の天板を取り除いた状態を示す概略平面図を示す。図４に、図３中にＡ−Ａで示す切断面における室内ユニット３の概略側面断面図を示す。
【００３６】
室内ユニット３は、本実施形態では、空調対象空間である室内等の天井に設けられた開口に埋め込まれることで設置されるタイプの室内機である。室内ユニット３は、主として、室内熱交換器５１と、室内ファン５２と、室内ケーシング３０と、フラップ３９と、ベルマウス３３と、ドレンパン３２と、室内制御部７３と、を有している。
【００３７】
室内熱交換器５１は、冷房運転時には室外熱交換器１１から送られてくる冷媒の蒸発器として機能し、暖房運転時には圧縮機８から吐出された冷媒の放熱器として機能する熱交換器である。室内熱交換器５１は、その液側が液冷媒連絡管４の室内側端部に接続されており、ガス側がガス冷媒連絡管５の室内側端部に接続されている。
【００３８】
室内ファン５２は、室内ユニット３のケーシング本体３１の内部に配置された遠心送風機である。室内ファン５２は、室内の空気を後述する化粧パネル３５の吸込口３６を通じて室内ケーシング３０内に吸入し、室内熱交換器５１を通過させた後、化粧パネル３５の吹出口３７を通じて室内ケーシング３０外へ吹き出す空気流れを形成する。このように、室内ファン５２によって供給される室内空気は、室内熱交換器５１の冷媒と熱交換することにより温度が調節される。
【００３９】
室内ケーシング３０は、ケーシング本体３１と、化粧パネル３５と、を主として有している。
【００４０】
ケーシング本体３１は、空調対象空間である室内の天井Ｕに形成された開口に挿入されるようにして配置されており、その平面視において、長辺と短辺とが交互に形成された略８角形状の箱状体であり、下面が開口している。このケーシング本体３１は、天板および天板の周縁部から下方に延びる複数の側板を有している。なお、ケーシング本体３１の平面視における４角の短辺には、天井に対して室内ユニット３を固定するための図示しないボルトがそれぞれ固定されている。なお、各４角におけるボルトに対する固定位置の高さを調節することで、室内ユニット３の化粧パネル３５の上面と天井の下面との隙間を無くすることが可能になる。
【００４１】
化粧パネル３５は、天井Ｕの開口に嵌め込まれるようにして配置されており、ケーシング本体３１の天板および側板よりも平面視における外側にまで広がっており、ケーシング本体３１の下方に室内側から取り付けられる。化粧パネル３５は、内枠３５ａと外枠３５ｂを有している。内枠３５ａの内側には、下方に向けて開口した略四角形状の吸込口３６が形成されている。吸込口３６の上方には、吸込口３６から吸入された空気中の塵埃を除去するためのフィルタ３４が設けられている。外枠３５ｂの内側であって内枠３５ａの外側には、下方から斜め下方に向けて開口した吹出口３７と角部吹出口３８が形成されている。吹出口３７は、化粧パネル３５の平面視における略四角形状の各辺に対応する位置に設けられた、第１吹出口３７ａと、第２吹出口３７ｂと、第３吹出口３７ｃと、第４吹出口３７ｄと、を有している。角部吹出口３８は、化粧パネル３５の平面視における略四角形状の４角に対応する位置に設けられた、第１角部吹出口３８ａと、第２角部吹出口３８ｂと、第３角部吹出口３８ｃと、第４角部吹出口３８ｄと、を有している。外枠３５ｂは、平面視において略四角形状の内縁および外縁を有しており、各角部にそれぞれ対応するように、第１コーナーパネル４１と、第２コーナーパネル４２と、第３コーナーパネル４３と、第４コーナーパネル４４と、を有している。平面視において、第１コーナーパネル４１は第１角部吹出口３８ａの外側に、第２コーナーパネル４２は第２角部吹出口３８ｂの外側に、第３コーナーパネル４３は第３角部吹出口３８ｃの外側に、第４コーナーパネル４４は第４角部吹出口３８ｄの外側に、それぞれ設けられている。第１〜第４コーナーパネル４１〜４４における各コーナーパネル本体の形状はいずれも同一であるため、各コーナーパネル４１〜４４は適宜、設置場所を替えることができる。なお、第１〜４コーナーパネル４１〜４４の上方の空間には、それぞれ室内ユニット３を天井に対して固定するためのボルトが位置している。
【００４２】
フラップ３９は、吹出口３７を通過する空気流れの方向を変更可能な部材である。フラップ３９は、第１吹出口３７ａに配置される第１フラップ３９ａと、第２吹出口３７ｂに配置される第２フラップ３９ｂと、第３吹出口３７ｃに配置される第３フラップ３９ｃと、第４吹出口３７ｄに配置される第４フラップ３９ｄと、を有している。各フラップ３９ａ〜ｄは、室内ケーシング３０の所定の位置において回動可能に軸支されている。
【００４３】
ドレンパン３２は、室内熱交換器５１の下側に配置され、室内熱交換器５１において空気中の水分が凝縮して生じるドレン水を受けとる。このドレンパン３２は、ケーシング本体３１の下部に装着されている。ドレンパン３２には、平面視において、室内熱交換器５１の内側において上下方向に伸びた円筒形状の空間が形成されており、当該空間の内側下方にベルマウス３３が配置されている。ベルマウス３３は、吸込口３６から吸入される空気を室内ファン５２に案内する。また、ドレンパン３２には、平面視において、室内熱交換器５１の外側において上下方向に伸びた複数の吹出流路４７ａ〜ｄ、角部吹出流路４８ａ〜ｃが形成されている。吹出流路４７ａ〜ｄは、下端において第１吹出口３７ａと連通する第１吹出流路４７ａと、下端において第２吹出口３７ｂと連通する第２吹出流路４７ｂと、下端において第３吹出口３７ｃと連通する第３吹出流路４７ｃと、下端において第４吹出口３７ｄと連通する第４吹出流路４７ｄと、を有している。角部吹出流路４８ａ〜ｃは、下端において第１角部吹出口３８ａと連通する第１角部吹出流路４８ａと、下端において第２角部吹出口３８ｂと連通する第２角部吹出流路４８ｂと、下端において第３角部吹出口３８ｃと連通する第３角部吹出流路４８ｃと、を有している。
【００４４】
室内制御部７３は、室外制御部７２と、後述する集合ユニット６０の光源基板６０ａとリモコン７４のリモコン基板７４ａと通信可能に接続されることで構成される制御部７０の一部を構成しており、ＣＰＵ、ＲＯＭ、ＲＡＭ等を有している。室内制御部７３は、室内ファン５２の風量を制御する。
【００４５】
（４）発光ユニット
図５に、発光ユニット９の概略分解斜視図を示す。
【００４６】
発光ユニット９は、室内等の対象空間を区画する天井または壁面に対して固定して用いられるものであり、集合ユニット６０、人検知センサ６４、ユニットケーシング９０、光源用電気配線９７、人検知用電気配線９８、第１タイラップ９９ａ、第２タイラップ９９ｂ等を備えている。
【００４７】
（４−１）集合ユニット
集合ユニット６０は、対象空間の照度を検知して光および／または音を発するための複数の電子部品によって構成されたユニットであり、光源基板６０ａと、光源基板６０ａに実装されたＬＥＤ６１、照度センサ６２およびブザー６３を備えている。集合ユニット６０は、ユニットケーシング９０内部に収容される。
【００４８】
光源基板６０ａは、室内ユニット３のケーシング本体３１の内側に位置している室内制御部７３と光源用電気配線９７を介して接続された制御基板であり、ＣＰＵ、ＲＯＭ、ＲＡＭ等を有して構成されている。光源用電気配線９７は、通信線および電源供給線を含んでいる。具体的には、光源基板６０ａは、光源用電気配線９７のうちの電源供給線を介して室内制御部７３から電源供給を受けつつ、光源用電気配線９７のうちの通信線を介して室内制御部７３との間で通信が可能となっている。このＬＥＤ６１と照度センサ６２とブザー６３が実装された光源基板６０ａは、後述するユニットケーシング９０の内部に収容されている。なお、ＬＥＤ６１と照度センサ６２とブザー６３とは、いずれも同じ光源基板６０ａに実装されることで、基板を１つにまとめて、コンパクト化を図ることができている。
【００４９】
ＬＥＤ６１は、光源基板６０ａの下面に実装されており、室内ユニット３が空調対象とする対象空間を照らすＬｉｇｈｔ Ｅｍｉｔｔｉｎｇ Ｄｉｏｄｅである。具体的には、ＬＥＤ６１は、下方に向けて発した光が、後述するユニットケーシング９０の発光用開口８５とカバーレンズ９０ａを透過して、室内を照らすように設置されている。
【００５０】
照度センサ６２は、光源基板６０ａの下面に実装されており、室内ユニット３が空調対象とする対象空間の照度を検知する。特に限定されないが、照度センサ６２は、例えば、フォトトランジスタ等によって構成される。照度センサ６２は、室内の明かりであって後述するユニットケーシング９０の中央開口８２を通過した明かり（光）を検知する。
【００５１】
ブザー６３は、光源基板６０ａの下面に実装されており、室内ユニット３が空調対象とする対象空間に向けて音を発する。具体的には、ブザー６３は、所定の時間間隔で同じ音が繰り返し出力される警告音を発する。ブザー６３は、下方に向けて発した音が、後述するユニットケーシング９０の中央開口８２を通過して室内に伝えられるように設置されている。
【００５２】
（４−２）人検知センサ
人検知センサ６４は、対象空間における人の在不在を検知するセンサであって、特に限定されないが、例えば、赤外線カメラ等によって構成されている。人検知センサ６４は、対象空間側に向けて膨出した平面視円形の膨出検知部６４ａを有している。人検知センサ６４は、ユニットケーシング９０内部において、集合ユニット６０と同程度の高さ位置において収容される。人検知センサ６４の膨出検知部６４ａは、後述するユニットケーシング９０の下部人検知用開口８４およびレンズ部人検知用開口８１を介して対象空間側に突出するようにして設けられている。人検知センサ６４は、室内ユニット３のケーシング本体３１の内側に位置している室内制御部７３と、人検知用電気配線９８を介して接続されている。具体的には、人検知センサ６４は、人検知用電気配線９８が有する電源供給線を介して室内制御部７３から電源供給を受けつつ、人検知用電気配線９８が有する通信線を介して人の検知結果を室内制御部７３に対して送信することが可能となっている。
【００５３】
（４−３）ユニットケーシング
ユニットケーシング９０は、内部に集合ユニット６０と人検知センサ６４を収容する容器であり、カバーレンズ９０ａと、下部ケーシング９０ｂと、上部ケーシング９０ｃと、を有している。集合ユニット６０と人検知センサ６４とは、発光ユニット９の設置状態において、上方（天井側）から上部ケーシング９０ｃによって、下方（対象空間側）から下部ケーシング９０ｂによって、上下から挟まれるようにして、ユニットケーシング９０内に収容される。カバーレンズ９０ａは、下部ケーシング９０ｂに対して下方から取り付けられることで、発光ユニット９の室内側の部分を構成する。
【００５４】
図６に、上部ケーシング９０ｃを斜め下方から見た外観概略斜視図を示す。図７に、下部ケーシング９０ｂを斜め上方から見た外観概略斜視図を示す。図８に、カバーレンズ９０ａを斜め上方から見た外観概略斜視図を示す。図９に、下部ケーシング９０ｂに対する光源用電気配線９７および人検知用電気配線９８の配置を説明する上面視概略説明図を示す。図１０に、図９の矢印の方向からみた光源用電気配線９７および人検知用電気配線９８とＬＥＤ６１との位置関係を説明する側面視概略説明図を示す。
【００５５】
上部ケーシング９０ｃは、集合ユニット６０と人検知センサ６４を上方から覆いつつ、発光ユニット９を天井に対して設置するための半透明樹脂ケーシングである。上部ケーシング９０ｃは、上部ケーシング本体９３と、配線用開口９１と、第１固定用ネジ穴９５ａと、第２固定用ネジ穴９５ｂと、上部配線ガイドリブ９２と、上部配線用リブ９４と、を有している。上部ケーシング本体９３は、天面９３ａと、上部側面９３ｂと、上部内周円形部９３ｃと、を有している。天面９３ａは、平面視略四角形状の板状部材であり、発光ユニット９の上端面を構成している。上部側面９３ｂは、天面９３ａの周縁部から斜め下方に向けて広がるように延びており、発光ユニット９の上方側面を構成している。上部内周円形部９３ｃは、上面視において上部側面９３ｂの内側に位置しており、略円筒形状が上下方向に延びた形状を有している。ここで、上部側面９３ｂの下端と上部内周円形部９３ｃの下端とは、上部ケーシング９０ｃの最下端として、同一高さ位置となっている。配線用開口９１は、天面９３ａの背面寄りにおいて上下方向である板厚方向に貫通して形成された開口であり、光源用電気配線９７および人検知用電気配線９８が通過する開口である。第１固定用ネジ穴９５ａと第２固定用ネジ穴９５ｂは、天面９３ａのうち配線用開口９１が設けられている側とは反対側（前面寄り）において互いに離れた位置に設けられ、上下方向である板厚方向に貫通して形成された開口であり、図示しないネジが挿入されることで上部ケーシング９０ｃひいては発光ユニット９を天井等の壁面に固定するための開口である。なお、発光ユニット９が施工される天井等の壁のうち、配線用開口９１が設けられている位置に対応する箇所には、穴が開けられることで、天井裏や壁面裏に光源用電気配線９７および人検知用電気配線９８が引きまわされることになる。上部配線ガイドリブ９２は、天面９３ａのうち平面視における第１固定用ネジ穴９５ａ側とは反対側から下方に伸び出したリブである。上部配線ガイドリブ９２は、上部側面９３ｂのうち近接した部分との距離を略一定に保ちながら、当該上部側面９３ｂの部分に沿うようにして伸びている。上部配線ガイドリブ９２の下端は、上部側面９３ｂや上部内周円形部９３ｃの下端よりも上方に位置している。上部配線用リブ９４は、上部配線ガイドリブ９２とこれに近接した上部側面９３ｂの部分との間において、上部側面９３ｂの内側に向けて突出した複数の上下に延びたリブである。なお、上部配線ガイドリブ９２とこれに近接した上部側面９３ｂの部分との間は、上部配線ガイド空間９２Ｓを構成しており、光源用電気配線９７および人検知用電気配線９８の一部を位置させることができる。これにより、光源用電気配線９７および人検知用電気配線９８を、上部配線ガイドリブ９２の外側と上部配線用リブ９４の内側との間に挟持させることが可能となっている。
【００５６】
下部ケーシング９０ｂは、集合ユニット６０と人検知センサ６４を下方から覆いつつ、これらを内部に収容するための半透明樹脂ケーシングである。下部ケーシング９０ｂは、略水平に広がった下部ケーシング本体８３と、中央開口８２と、下部人検知用開口８４と、人検知用壁面８４ｗと、発光用開口８５と、発光用壁面８５ｗと、発光経路面８５ａと、下部配線ガイドリブ８６と、を有している。下部ケーシング本体８３は、平面視において、上部ケーシング９０ｃの輪郭に対応した形状を有している。下部ケーシング本体８３は、主面８３ａと、下部側面８３ｂと、下部内周円形部８３ｃと、を有している。主面８３ａは、平面視略四角形状の板状部材であり、略水平方向に広がっている。下部側面８３ｂは、主面８３ａの周縁部から上方に向けて僅かに延びだしている。下部内周円形部８３ｃは、主面８３ａのうち平面視における下部側面８３ｂの内側から上方に向けて略円筒形状が延びた形状を有している。下部内周円形部８３ｃの上端は、下部側面８３ｂの上端よりもさらに上方に位置している。なお、詳細は省略するが、下部ケーシング９０ｂの下部内周円形部８３ｃと上部ケーシング９０ｃの上部内周円形部９３ｃとは、互いに嵌合可能な形状関係を有している。ここで、下部内周円形部８３ｃは、図１０に示すように、上部ケーシング９０ｃと下部ケーシング９０ｂが嵌合した状態で、目地９６を構成することとなる。なお、当該目地９６において、上部ケーシング９０ｃと下部ケーシング９０ｂとの間の隙間が、少なくとも部分的に、０．１ｍｍ以上１ｍｍ以下生じていてもよい。中央開口８２は、下部ケーシング本体８３の主面８３ａの平面視における中央近傍において上下に貫通した開口である。中央開口８２の下方には下方に向かうほど広がるように形成された筒状の中央開口用壁面８２ａが設けられている。中央開口８２は、集合ユニット６０が設置された状態で、中央開口８２の上部に照度センサ６２およびブザー６３が位置することとなる。人検知用壁面８４ｗは、人検知センサ６４を下部ケーシング本体８３の主面８３ａの上部の特定の位置に収容させるために、人検知センサ６４の周囲を覆うようにして主面８３ａから上方に延びるようにして立設している。下部人検知用開口８４は、下部ケーシング本体８３の主面８３ａの平面視において、中央開口８２とは異なる位置に設けられ、上下方向に貫通した開口である。人検知用壁面８４ｗで囲まれた人検知センサ用空間６４Ｓに人検知センサ６４が収容されると、人検知センサ６４の膨出検知部６４ａは下部人検知用開口８４に位置することとなる。発光用開口８５は、下部ケーシング本体８３の主面８３ａの平面視において、中央開口８２に対する下部人検知用開口８４側とは反対側に設けられ、上下方向に貫通した開口である。発光用壁面８５ｗは、集合ユニット６０を下部ケーシング本体８３の主面８３ａの上部の特定の位置に収容させるために、集合ユニット６０の周囲を覆うようにして主面８３ａから上方に延びるようにして立設している。これにより、発光用開口８５と中央開口８２とは、発光用壁面８５ｗによって囲まれた集合ユニット用空間６０Ｓ内に位置する。この集合ユニット用空間６０Ｓに集合ユニット６０が収容されると、ＬＥＤ６１が発光用開口８５の上方に位置することとなり、照度センサ６２およびブザー６３が中央開口８２の上方に位置することとなる。なお、発光経路面８５ａは、発光用開口８５の下方において、下方に向かうほど広がるように形成された筒状部分である。下部配線ガイドリブ８６は、下部ケーシング本体８３の主面８３ａの平面視において、発光用開口８５から最も近い下部側面８３ｂと、発光用開口８５と、の間において、両者を隔てるように前後方向に広がったリブであって、主面８３ａから上方に向けて伸び出している。発光用壁面８５ｗのうちの下部配線ガイドリブ８６と対向する部分と下部配線ガイドリブ８６との間は、下部配線ガイド空間８６Ｓを構成しており、光源用電気配線９７および人検知用電気配線９８の一部を位置させることができる。なお、人検知用壁面８４ｗと発光用壁面８５ｗと下部配線ガイドリブ８６との各上端部は、上部内周円形部９３ｃの上端部よりもさらに上方に位置している。
【００５７】
カバーレンズ９０ａは、下部ケーシング９０ｂの下面に対して固定される透明樹脂レンズである。カバーレンズ９０ａは、略水平に広がったカバーレンズ本体８０と、レンズ部人検知用開口８１と、レンズ固定突起８０ａと、レンズ固定爪８０ｂと、を有している。カバーレンズ本体８０は、平面視において、下部ケーシング９０ｂの主面８３ａの下面の輪郭に対応した形状を有している。レンズ部人検知用開口８１は、カバーレンズ本体８０において、人検知センサ６４の膨出検知部６４ａに対応する箇所が板厚方向に開口することで形成されている。レンズ固定突起８０ａは、カバーレンズ本体８０の４角において上部に向けて突出するように設けられている。レンズ固定爪８０ｂは、カバーレンズ本体８０のレンズ部人検知用開口８１の外側と、これの反対側の端部において、上部に突出するように設けられた爪部である。カバーレンズ９０ａは、レンズ固定突起８０ａとレンズ固定爪８０ｂを介して、下部ケーシング９０ｂに固定される。
【００５８】
（５）光源用電気配線および人検知用電気配線の配置
上部ケーシング９０ｃの配線用開口９１を介して、発光ユニット９のユニットケーシング９０の内部に引き込まれた光源用電気配線９７および人検知用電気配線９８は、図９に示すように、第１タイラップ９９ａにおいて結びつけられることでまとめられ、上部配線ガイド空間９２Ｓおよび下部配線ガイド空間８６Ｓを通過した後、第２タイラップ９９ｂにおいて結びつけられることでまとめられる。光源用電気配線９７は、第２タイラップ９９ｂを通過した後、集合ユニット６０まで延びて、集合ユニット６０における図示しない配線接続箇所に接続されている。また、人検知用電気配線９８は、第２タイラップ９９ｂを通過した後、人検知センサ６４まで延びて、人検知センサ６４における図示しない配線接続箇所に接続されている。なお、光源用電気配線９７および人検知用電気配線９８の各他端は、天井裏の空間を介して室内ユニット３の室内制御部７３に接続されている。
【００５９】
ここで、光源用電気配線９７および人検知用電気配線９８は、図１０に示すように、平面視において、上部ケーシング９０ｃと下部ケーシング９０ｂが嵌合した状態で周囲に形成される目地９６のうちＬＥＤ６１から最も近い部分Ｐと、ＬＥＤ６１と、の間に位置することとなる。そして、光源用電気配線９７および人検知用電気配線９８は、図１０に示すように、発光ユニット９の側面視においても、目地９６のうちＬＥＤ６１から最も近い部分Ｐと、ＬＥＤ６１と、の間を通過しつつ、目地９６に沿うように配置されることとなる。
【００６０】
（６）リモコン
図１１に、空気調和装置１の制御ブロック構成図を示す。
【００６１】
室内ユニット３が空調を行う対象空間には、リモコン７４が設けられている。
【００６２】
リモコン７４は、室外制御部７２や室内制御部７３と通信可能に接続されており、ＣＰＵ、ＲＯＭ、ＲＡＭ等を有するリモコン基板７４ａと、入力部７４ｂと、ディスプレイ７４ｃと、を有している。
【００６３】
入力部７４ｂは、ユーザからの各種設定を受け付ける。
【００６４】
ディスプレイ７４ｃは、空気調和装置１の運転状態や設定温度や異常の状態等の表示出力が可能である。
【００６５】
（７）制御部
空気調和装置１は、室外制御部７２と、リモコン基板７４ａと、室内制御部７３と、光源基板６０ａと、によって構成された制御部７０を有している。
【００６６】
具体的には、室外制御部７２は、圧縮機８、四路切換弁１０、室外膨張弁１２、室外ファン１５等の制御が可能なように接続されている。室内制御部７３は、人検知センサ６４からの信号および光源基板６０ａからの各種信号を受信可能であり、室内ファン５２の制御が可能なように接続されている。光源基板６０ａは、照度センサ６２からの信号を受信可能であり、ＬＥＤ６１やブザー６３等の制御が可能なように接続されている。リモコン基板７４ａは、入力部７４ｂからの信号を受信可能であり、ディスプレイ７４ｃに各種の表示出力が可能なように接続されている。
【００６７】
空気調和装置１の各種制御動作や情報処理は、当該制御部７０が実行する。
【００６８】
（８）空気調和装置の動作
次に、図１を用いて、空気調和装置１の動作について説明する。空気調和装置１では、圧縮機８、室外熱交換器１１、室外膨張弁１２、室内熱交換器５１の順に冷媒を流す冷房運転と、圧縮機８、室内熱交換器５１、室外膨張弁１２、室外熱交換器１１の順に冷媒を流す暖房運転と、が行われる。
【００６９】
（８−１）冷房運転
冷房運転時には、室外熱交換器１１が冷媒の放熱器となり室内熱交換器５１が冷媒の蒸発器となるように、四路切換弁１０の接続状態が切り換えられる（図１の実線参照）。冷媒回路６において、冷凍サイクルの低圧のガス冷媒は、圧縮機８に吸入され、冷凍サイクルの高圧になるまで圧縮された後に吐出される。圧縮機８から吐出された高圧のガス冷媒は、四路切換弁１０を通じて、室外熱交換器１１に送られる。室外熱交換器１１に送られた高圧のガス冷媒は、冷媒の放熱器として機能する室外熱交換器１１において、室外ファン１５によって冷却源として供給される室外空気と熱交換を行って放熱して、高圧の液冷媒になる。この高圧の液冷媒は、室外膨張弁１２を通過する際に冷凍サイクルにおける低圧になるまで減圧され、気液二相状態の冷媒となって、液側閉鎖弁１３および液冷媒連絡管４を通じて、室内ユニット３に送られる。
【００７０】
低圧の気液二相状態の冷媒は、室内熱交換器５１において、冷房運転時は室内ファン５２によって加熱源として供給される室内空気と熱交換を行って蒸発する。これにより、室内熱交換器５１を通過する空気は冷却され、室内の冷房が行われる。室内熱交換器５１において蒸発した低圧のガス冷媒は、ガス冷媒連絡管５を通じて、室外ユニット２に送られる。
【００７１】
室外ユニット２に送られた低圧のガス冷媒は、ガス側閉鎖弁１４、四路切換弁１０およびアキュムレータ７を通じて、再び、圧縮機８に吸入される。冷房運転では、以上のようにして、冷媒が冷媒回路６を循環する。
【００７２】
（８−２）暖房運転
暖房運転時には、室外熱交換器１１が冷媒の蒸発器となり室内熱交換器５１が冷媒の放熱器となるように、四路切換弁１０の接続状態が切り換えられる（図１の破線参照）。冷媒回路６において、冷凍サイクルの低圧のガス冷媒は、圧縮機８に吸入され、冷凍サイクルの高圧になるまで圧縮された後に吐出される。圧縮機８から吐出された高圧のガス冷媒は、四路切換弁１０、ガス側閉鎖弁１４およびガス冷媒連絡管５を通じて、室内ユニット３に送られる。
【００７３】
高圧のガス冷媒は、室内熱交換器５１において、室内ファン５２によって冷却源として供給される室内空気と熱交換を行って放熱して、高圧の液冷媒になる。これにより、室内熱交換器５１を通過する空気は加熱され、室内の暖房が行われる。室内熱交換器５１で放熱した高圧の液冷媒は、液冷媒連絡管４を通じて、室外ユニット２に送られる。
【００７４】
室外ユニット２に送られた高圧の液冷媒は、液側閉鎖弁１３を通じて、室外膨張弁１２において冷凍サイクルの低圧まで減圧され、低圧の気液二相状態の冷媒になる。室外膨張弁１２で減圧された低圧の気液二相状態の冷媒は、冷媒の蒸発器として機能する室外熱交換器１１において、室外ファン１５によって加熱源として供給される室外空気と熱交換を行って蒸発して、低圧のガス冷媒になる。この低圧のガス冷媒は、四路切換弁１０およびアキュムレータ７を通じて、再び、圧縮機８に吸入される。暖房運転では、以上のようにして、冷媒が冷媒回路６を循環する。
【００７５】
（９）ＬＥＤおよびブザーの制御
図１２に、ＬＥＤ６１およびブザー６３の制御フローチャートを示す。
【００７６】
ステップＳ１０では、室内制御部７３が所定の時間条件を満たしているか否かを判断する。当該所定の時間条件としては、特に限定されないが、例えば、一日のうちの所定の時間帯であることという条件とすることができ、室内制御部７３が有するメモリ等に予め格納されている。なお、ユーザは、リモコン７４の入力部７４ｂを介して当該所定の時間条件を設定することが可能となっている。これにより、ＬＥＤ６１の点灯やブザー６３からの警告音の出力を、特定の時間帯に限って行わせること等が可能となり、当該特定の時間帯における防犯効果が得られる。ここで、所定の時間条件を満たすと判断した場合にはステップＳ１１に移行し、所定の時間条件を満たさないと判断した場合にはステップＳ１０を繰り返す。
【００７７】
ステップＳ１１では、室内制御部７３が室内の照度が予め定めた所定照度以下であるか否かを判断する。具体的には、室内制御部７３は、光源基板６０ａを介して照度センサ６２が検知した照度値を把握し、当該照度値を所定照度と比較することで判断する。所定照度以下（暗い）と判断した場合にはステップＳ１２に移行し、所定照度以下ではない（暗くはない）と判断した場合にはステップＳ１０を繰り返す。
【００７８】
ステップＳ１２では、室内制御部７３が室内に人が存在しているか否かを判断する。具体的には、室内制御部７３は、人検知センサ６４からの検知信号を受信することで、室内における人の存在の有無を判断する。人が存在すると判断した場合にはステップＳ１３に移行し、人が存在しないと判断した場合にはステップＳ１０に戻る。
【００７９】
ステップＳ１３では、室内制御部７３は、制御時の発光条件（ステップＳ１０〜１２）を満たすと判断し、ＬＥＤ６１を発光させるための信号及びブザー６３に警告音を出させるための信号を送信する。具体的には、室内制御部７３は、光源基板６０ａに向けて、ＬＥＤ６１を発光させるための制御信号を送信し、ブザー６３に警告音を出させるように制御信号を送信する。これにより、当該制御信号を受信した光源基板６０ａが、ＬＥＤ６１を発光させ、ブザー６３に警告音を出させるように、ＬＥＤ６１およびブザー６３を制御する。
【００８０】
ステップＳ１４では、室内制御部７３は照度センサ６２が検知する照度が変化したか否かを判断する。具体的には、室内制御部７３は、ステップＳ１３においてＬＥＤ６１を発光させるための制御信号を送信する前と後とで照度センサ６２が検知する照度が変化したか否かを判断する。ここで、照度センサ６２が検知する照度が変化したと判断した場合にはステップＳ１６に移行し、変化していないと判断した場合にはステップＳ１５に移行する。
【００８１】
ステップＳ１５では、室内制御部７３は、ＬＥＤ６１が異常であると判断し、リモコン７４のディスプレイ７４ｃに対して、ＬＥＤ６１が異常であることを示す所定の異常コードを表示出力させる。
【００８２】
ステップＳ１６では、室内制御部７３は、ＬＥＤ６１を発光させ、ブザー６３に警告音を出させるように制御信号を送信してから所定時間が経過したか否かを判断する。ここで、所定時間としては特に限定されないが、例えば、１分以上５分未満の所定の時間長さとすることができる。所定時間が経過したと判断した場合にはステップＳ１７に移行し、所定時間が経過していないと判断した場合には所定時間が経過するまでＬＥＤ６１の発光およびブザー６３からの警告音の出力を続ける。
【００８３】
ステップＳ１７では、室内制御部７３は、ＬＥＤ６１の発光を停止させ、ブザー６３から警告音も止めて、ステップＳ１０に戻り、上記処理を繰り返す。
【００８４】
（１０）特徴
（１０−１）
本実施形態の発光ユニット９およびこれを備える空気調和装置１では、発光ユニット９における光が漏れ出しやすい箇所とＬＥＤ６１との間に、光源用電気配線９７を配置させている。このため、ＬＥＤ６１からの光が、光が漏れ出しやすい箇所に到達しにくい。したがって、ＬＥＤ６１からの発光ユニット９のユニットケーシング９０外への光の漏れ出しを抑制することができている。
【００８５】
特に、当該光の漏れ出しを、ＬＥＤ６１を発光させるために必要となる光源用電気配線９７を漏れ出し抑制部材として流用することが可能になっている。
【００８６】
また、上記実施形態では、ＬＥＤ６１を発光させるために必要となる光源用電気配線９７だけでなく、人検知センサ６４に接続された人検知用電気配線９８も、光が漏れ出しやすい箇所とＬＥＤ６１との間に位置しているため、光の漏れ出しをより効果的に抑制することが可能になっている。
【００８７】
なお、発光ユニット９のユニットケーシング９０の下部ケーシング９０ｂが有する発光用開口８５を介してＬＥＤ６１の光が対象空間側に届けられるが、当該発光用開口８５を介して対象空間に到達する光は、漏れだした光ではなく、発光ユニット９による本来意図した光である。発光ユニット９における光が漏れ出しやすい箇所とは、ユニットケーシング９０のうち、このような本来ＬＥＤ６１からの光を通過させる目的である発光用開口８５を除いた部分における、ユニットケーシング９０外にまで光が届きやすい箇所を意味している。例えば、ユニットケーシング９０の目地９６は、ユニットケーシング９０の下部ケーシング９０ｂが有する主面８３ａや下部側面８３ｂよりも、ＬＥＤ６１からの光が漏れ出しやすい箇所である。
【００８８】
（１０−２）
本実施形態の発光ユニット９およびこれを備える空気調和装置１では、発光ユニット９のユニットケーシング９０を構成する上部ケーシング９０ｃと下部ケーシング９０ｂとの境界部分である目地９６とＬＥＤ６１との間に、光源用電気配線９７を位置させている。このような、上部ケーシング９０ｃと下部ケーシング９０ｂとの境界部分である目地９６からは、ＬＥＤ６１からの光が特に漏れ出しやすいが、このような特に光の漏れ出しやすい目地９６からの漏れ出しを光源用電気配線９７によって抑制することが可能になっている。
【００８９】
また、人検知用電気配線９８も、ＬＥＤ６１と目地９６の間に位置しているため、目地９６からの光の漏れ出しをより効果的に抑制することができている。
【００９０】
（１０−３）
本実施形態の発光ユニット９およびこれを備える空気調和装置１では、ユニットケーシング９０の目地９６とＬＥＤ６１との間のうち、目地９６に近い位置に光源用電気配線９７を配置させている。これにより、ＬＥＤ６１からの光が光源用電気配線９７を回折したとしても、目地９６に到達する光を抑制させることが可能になっている。
【００９１】
また、人検知用電気配線９８も、同様に、目地９６に近い位置に配置されているため、上記効果をさらに高めることができている。
【００９２】
（１０−４）
本実施形態の発光ユニット９およびこれを備える空気調和装置１では、光源用電気配線９７を、目地９６の内側に沿うようにして配置させているため、目地９６の広範囲からの光の漏れ出しを抑制することができている。
【００９３】
また、人検知用電気配線９８も、目地９６の内側に沿うように設けられているため、目地９６からの光の漏れ出しをより効果的に抑制することができている。
【００９４】
特に、ＬＥＤ６１よりも目地９６に近い位置で目地９６に沿うように光源用電気配線９７や人検知用電気配線９８を配置させることで、目地９６からの光の漏れ出し抑制効果を大きくすることができている。
【００９５】
（１０−５）
本実施形態の発光ユニット９およびこれを備える空気調和装置１では、ユニットケーシング９０における光が漏れ出しやすい箇所とＬＥＤ６１との間に光源用電気配線９７を配置させやすいように、下部配線ガイドリブ８６および上部配線ガイドリブ９２が設けられている。このため、光源用電気配線９７を、ＬＥＤ６１からの光の漏れ出しを抑制させる位置に配置させやすい。
【００９６】
また、人検知用電気配線９８も、同様に、ＬＥＤ６１からの光の漏れ出しを抑制させる位置に配置させやすい。
【００９７】
しかも、下部ケーシング９０ｂに設けられた下部配線ガイドリブ８６については、ＬＥＤ６１と光が漏れ出しやすい箇所との間において広がるように設けられているため、光源用電気配線９７や人検知用電気配線９８の特定の位置への配置を容易にするための部分を遮光壁として用いて、ＬＥＤ６１からの光の漏れ出しの抑制効果を得ることが可能になっている。
【００９８】
（１１）変形例
（１１−１）変形例Ａ
上記実施形態では、集合ユニット６０および人検知センサ６４が別体であり、それぞれ、通信線および電源供給線（光源用電気配線９７、人検知用電気配線９８）を介して室内制御部７３と接続されている場合について例に挙げて説明した。
【００９９】
しかし、図１３に示すように、ＬＥＤ６１と、照度センサ６２と、ブザー６３と、人検知センサ６４と、が同一の制御基板である光源基板１６０ａに実装されており、当該光源基板１６０ａと室内制御部７３とが、通信線および電源供給線を介して接続されていてもよい。
【０１００】
また、発光ユニット９の集合ユニット６０、人検知センサ６４または光源基板１６０ａは、室内ユニット３の室内制御部７３を介して電源供給を受ける場合に限られず、室内ユニット３等とは独立した電源供給ラインを用いて電源供給を受けるようにしてもよい。
【０１０１】
（１１−２）変形例Ｂ
上記実施形態では、ＬＥＤ６１やブザー６３の制御を室内制御部７３が主体となって行う場合を例に挙げて説明した。
【０１０２】
しかし、集合ユニット６０としては、照度センサ６２の検知照度を自ら判断することで、自らＬＥＤ６１やブザー６３の制御を行うようにしてもよい。
【０１０３】
また、例えば、変形例Ａに記載の光源基板１６０ａのように、ＬＥＤ６１と、照度センサ６２と、ブザー６３と、人検知センサ６４と、が同一の制御基板である光源基板１６０ａに実装されている場合には、発光ユニット９の光源基板１６０ａ自身が、照度センサ６２および人検知センサ６４からの検知結果を用いてＬＥＤ６１やブザー６３の制御を行うようにしてもよい。
【０１０４】
（１１−３）変形例Ｃ
上記実施形態では、ＬＥＤ６１からの光がユニットケーシング９０の目地９６を介して外部に漏れ出すことを光源用電気配線９７や人検知用電気配線９８により抑制させる場合を例に挙げて説明した。
【０１０５】
これに対して、発光ユニット９におけるＬＥＤ６１からの光が漏れ出しやすい箇所としては、当該目地９６に限られるものではなく、例えば、照度センサ６２が対象空間の照度を検知するために下部ケーシング９０ｂに設けられている開口である中央開口８２を介した光の漏れ出しを抑制させるために、光源用電気配線９７や人検知用電気配線９８の少なくとも一部を、ＬＥＤ６１と中央開口８２との間に配置させるようにしてもよい。
【０１０６】
また、例えば、人検知センサ６４の膨出検知部６４ａと、下部ケーシング９０ｂの下部人検知用開口８４やカバーレンズ９０ａのレンズ部人検知用開口８１と、の隙間を介した光の漏れ出しを抑制させるために、光源用電気配線９７や人検知用電気配線９８の少なくとも一部を、膨出検知部６４ａと下部人検知用開口８４との隙間や膨出検知部６４ａとレンズ部人検知用開口８１との隙間に沿うように配置させてもよい。
【０１０７】
（１１−４）変形例Ｄ
上記実施形態では、発光ユニット９が室内ユニット３とは別体として設けられている場合を例に挙げて説明した。
【０１０８】
これに対して、発光ユニット９は、空気調和装置の室内ユニットと一体として設けられていてもよい。例えば、上記実施形態の室内ユニット３の化粧パネル３５が有する第１〜第４コーナーパネル４１〜４４のいずれかを下部ケーシングとして用い、これに対応した上部ケーシングを設け、これらの下部ケーシングと上部ケーシングとで囲われる空間内に光源基板６０ａ、ＬＥＤ６１、照度センサ６２、ブザー６３、人検知センサ６４等を収容するようにしてもよい。
【０１０９】
以上、本開示の実施形態及び変形例を説明したが、特許請求の範囲に記載された本開示の趣旨及び範囲から逸脱することなく、形態や詳細の多様な変更が可能なことが理解されるであろう。
【符号の説明】
【０１１０】
１  空気調和装置
２  室外ユニット（空調室外ユニット）
３  室内ユニット（空調室内ユニット）
９  発光ユニット
１１  室外熱交換器
３０  室内ケーシング
３５  化粧パネル
５１  室内熱交換器
６０  集合ユニット
６０ａ  光源基板
６１  ＬＥＤ（光源部）
６２  照度センサ
６３  ブザー
６４  人検知センサ
６４ａ  膨出検知部
７０  制御部
７２  室外制御部
７３  室内制御部
７４  リモコン
７４ａ  リモコン基板
７４ｃ  ディスプレイ
８１  レンズ部人検知用開口
８２  中央開口
８４  下部人検知用開口
８５  発光用開口
８５ａ  発光経路面
８６  下部配線ガイドリブ（リブ）
９０  ユニットケーシング
９０ａ  カバーレンズ
９０ｂ  下部ケーシング（ケーシング部品）
９０ｃ  上部ケーシング（ケーシング部品）
９１  配線用開口
９２  上部配線ガイドリブ（リブ）
９２Ｓ  上部配線ガイド空間
９４  上部配線用リブ
９６  目地
９７  光源用電気配線（電気配線）
９８  人検知用電気配線
【先行技術文献】
【特許文献】
【０１１１】
【特許文献１】特開２０１３−２０２９６号公報
【図１】
2019133795.tif 000003
【図２】
2019133795.tif 000004
【図３】
2019133795.tif 000005
【図４】
2019133795.tif 000006
【図５】
2019133795.tif 000007
【図６】
2019133795.tif 000008
【図７】
2019133795.tif 000009
【図８】
2019133795.tif 000010
【図９】
2019133795.tif 000011
【図１０】
2019133795.tif 000012
【図１１】
2019133795.tif 000013
【図１２】
2019133795.tif 000014
【図１３】
2019133795.tif 000015
【手続補正書】
【提出日】平成31年4月26日(2019.4.26)
【手続補正１】
【補正対象書類名】特許請求の範囲
【補正対象項目名】全文
【補正方法】変更
【補正の内容】
【特許請求の範囲】
【請求項１】
対象空間を照らす光源部（６１）と、
前記光源部に接続される電気配線（９７）と、
前記光源部を内部に収容するケーシング（９０）と、
を備え、
前記ケーシングは、第１部分（８３ａ、８３ｂ）と、前記第１部分よりも光が透過しやすい第２部分（９６、Ｐ）と、を有しており、
前記電気配線の少なくとも一部は、前記光源部と前記ケーシングの前記第２部分との間に位置しており、前記光源部からの光が前記第２部分を介して前記対象空間に漏れ出すことを抑制する、
発光ユニット（９）。
【請求項２】
前記ケーシングは、複数のケーシング部品（９０ｂ、９０ｃ）によって構成されており、
前記ケーシングの前記第２部分は、前記複数のケーシング部品により構成される目地（９６）である、
請求項１に記載の発光ユニット。
【請求項３】
前記電気配線の少なくとも一部は、前記目地に隣接している、
請求項２に記載の発光ユニット。
【請求項４】
前記電気配線の少なくとも一部は、前記目地に沿って配置されている、
請求項２または３に記載の発光ユニット。
【請求項５】
前記ケーシングは、内部に、前記電気配線の位置決めのためのリブ（８６、９２）を有している、
請求項１から４のいずれか１項に記載の発光ユニット。
【請求項６】
前記リブ（８６）の少なくとも一部は、前記光源部と前記ケーシングの前記第２部分との間に位置している、
請求項５に記載の発光ユニット。
【請求項７】
センサ（６４）と、
前記センサに接続される電気配線（９８）と、
をさらに備え、
前記センサに接続される前記電気配線（９８）の少なくとも一部も、前記光源部と前記ケーシングの前記第２部分との間に位置している、
請求項１から６のいずれか１項に記載の発光ユニット。
【請求項８】
請求項１から７のいずれか１項に記載の発光ユニット（９）と、
前記発光ユニットと前記電気配線を介して接続された空調室内ユニット（３）と、
前記空調室内ユニットと共に冷媒回路を構成する空調室外ユニット（２）と、
を備えた空気調和装置（１）。
【手続補正２】
【補正対象書類名】明細書
【補正対象項目名】全文
【補正方法】変更
【補正の内容】
【発明の詳細な説明】
【技術分野】
【０００１】
本開示は、発光ユニットおよび空気調和装置に関する。
【背景技術】
【０００２】
従来より、天井等に対して設置され、対象空間を照らすための発光ユニットが用いられている。このような発光ユニットとしては、例えば、特許文献１（特開２０１３−２０２９６号）に記載されているように、ＬＥＤ等の発光素子が筐体内部に収容されているものがある。
【発明の概要】
【発明が解決しようとする課題】
【０００３】
このように、筐体内部にＬＥＤ等の発光素子を収容した発光ユニットでは、発光素子から室内側に向けて形成された発光経路に発光素子からの光を通過させる構造とすることで、対象空間を照らしている。ところが、発光素子からの光が、筐体のうち意図した発光経路以外の箇所から漏れ出してしまうと、意匠性に優れない場合がある。
【０００４】
本開示は、上述した点に鑑みてなされたものであり、本開示における課題は、光源部からの光の漏れ出しを抑制することが可能な発光ユニットおよび空気調和装置を提供することにある。
【課題を解決するための手段】
【０００５】
第１観点に係る発光ユニットは、対象空間を照らす光源部と、電気配線と、ケーシングと、を備えている。電気配線は、光源部に接続されている。ケーシングは、光源部を内部に収容する。ケーシングは、第１部分と、第１部分よりも光が透過しやすい第２部分と、を有している。電気配線の少なくとも一部は、光源部とケーシングの第２部分との間に位置しており、光源部からの光が第２部分を介して対象空間に漏れ出すことを抑制する。
【０００６】
なお、ケーシングは、照らそうとする室内等の対象空間に光源部からの光を導くための導光路を、第２部分とは別に有していることが好ましい。
【０００７】
この発光ユニットでは、ケーシングにおいて比較的光を透過しやすい第２部分と光源部との間に電気配線の少なくとも一部が位置するため、光源部からの光がケーシングの第２部分に到達しにくい。このため、光源部からの光のケーシング外への漏れ出しを抑制することができる。
【０００８】
第２観点に係る発光ユニットは、第１観点に係る発光ユニットであって、ケーシングは、複数のケーシング部品によって構成されている。ケーシングの第２部分は、複数のケーシング部品により構成される目地である。
【０００９】
この発光ユニットでは、光源部からの光がケーシングの目地を介して漏れ出すことを抑制できる。
【００１０】
第３観点に係る発光ユニットは、第２観点に係る発光ユニットであって、電気配線の少なくとも一部は、目地に隣接している。
【００１１】
ここで、目地に隣接しているとは、電気配線とケーシングの目地の内側縁部までの最近接距離が、光源部からケーシングの目地の内側縁部までの最近接距離の６割以下（より好ましくは半分以下）であること、または、電気配線とケーシングの目地の内側縁部までの最近接距離が、電気配線の断面のうち最も太い部分の長さの１０倍以下であること、のいずれかを満たす場合とすることができる。
【００１２】
この発光ユニットでは、光源部からの光が電気配線を回折してケーシングの第２部分に到達することを抑制できる。
【００１３】
第４観点に係る発光ユニットは、第２観点または第３観点に係る発光ユニットであって、電気配線の少なくとも一部は、目地に沿って配置されている。
【００１４】
この発光ユニットでは、ケーシングの目地に沿った光の漏れ出しを抑制できる。
【００１５】
第５観点に係る発光ユニットは、第１観点から第４観点のいずれかに係る発光ユニットであって、ケーシングは、内部に、電気配線の位置決めのためのリブを有している。
【００１６】
この発光ユニットでは、電気配線を、光源部からの光の漏れ出しを抑制させる位置に配置させやすい。
【００１７】
第６観点に係る発光ユニットは、第５観点に係る発光ユニットであって、リブの少なくとも一部は、光源部とケーシングの第２部分との間に位置している。
【００１８】
この発光ユニットでは、電気配線だけでなく、電気配線の位置決めのリブを用いて、光源部からの光がケーシングの第２部分に到達することを抑制することが可能になる。
【００１９】
第７観点に係る発光ユニットは、第１観点から第６観点のいずれかに係る発光ユニットであって、センサと、センサに接続される電気配線と、をさらに備え、センサに接続される電気配線の少なくとも一部も、光源部とケーシングの第２部分との間に位置している。
【００２０】
第８観点に係る空気調和装置は、第１観点から第７観点のいずれかに係る発光ユニットと、空調室内ユニットと、空調室外ユニットと、を備えている。空調室内ユニットは、電気配線を介して発光ユニットと接続されている。空調室外ユニットは、空調室内ユニットと共に冷媒回路を構成する。
【００２１】
この空気調和装置は、空調室内ユニットと発光ユニットとを電源線および／または通信線によって接続させることが可能になる。
【図面の簡単な説明】
【００２２】
【図１】空気調和装置の概略構成図である。
【図２】室内ユニットの概略外観斜視図である。
【図３】室内ユニットの平面視概略構成図である。
【図４】室内ユニットの図３のＡ−Ａ断面における側面視概略構成図である。
【図５】発光ユニットの概略分解斜視図である。
【図６】上部ケーシングを斜め下方から見た外観概略斜視図である。
【図７】下部ケーシングを斜め上方から見た外観概略斜視図である。
【図８】カバーレンズを斜め上方から見た外観概略斜視図である。
【図９】下部ケーシングに対する電気配線の配置を説明する上面視概略説明図である。
【図１０】図９の矢印の方向からみた電気配線およびＬＥＤの位置関係を説明する側面視概略説明図である。
【図１１】空気調和装置の概略制御ブロック構成図である。
【図１２】ＬＥＤおよびブザーの制御フローチャートである。
【図１３】変形例（Ｂ）に係る空気調和装置の概略制御ブロック構成図である。
【発明を実施するための形態】
【００２３】
（１）空気調和装置の構成
図１に、空気調和装置１の概略構成図を示す。
【００２４】
空気調和装置１は、蒸気圧縮式の冷凍サイクルを行うことによって、建物等の室内の冷房および暖房を行うことが可能な装置である。
【００２５】
空気調和装置１は、主として、室外ユニット２と、室内ユニット３と、室外ユニット２と室内ユニット３とを接続する冷媒経路である液冷媒連絡管４およびガス冷媒連絡管５と、発光ユニット９と、を有している。そして、空気調和装置１の蒸気圧縮式の冷媒回路６は、室外ユニット２と、室内ユニット３とが冷媒連絡管４、５を介して接続されることによって構成されている。冷媒連絡管４、５は、空気調和装置１を建物等の設置場所に設置する際に、現地にて施工される冷媒管である。特に限定されないが、本実施形態では、当該冷媒回路６に作動冷媒としてＲ３２が充填されている。
【００２６】
（２）室外ユニット
室外ユニット２は、室外（建物の屋上や建物の壁面近傍等）に設置されており、冷媒回路６の一部を構成している。室外ユニット２は、主として、アキュムレータ７、圧縮機８と、四路切換弁１０と、室外熱交換器１１と、膨張機構としての室外膨張弁１２と、液側閉鎖弁１３と、ガス側閉鎖弁１４と、室外ファン１５と、室外制御部７２と、を有している。
【００２７】
アキュムレータ７は、ガス冷媒を圧縮機に供給するための容器であり、圧縮機８の吸入側に設けられている。
【００２８】
圧縮機８は、低圧のガス冷媒を吸入し、圧縮して高圧のガス冷媒を吐出する。
【００２９】
室外熱交換器１１は、冷房運転時には圧縮機８から吐出された冷媒の放熱器として機能し、暖房運転時には室内熱交換器５１から送られてくる冷媒の蒸発器として機能する熱交換器である。室外熱交換器１１は、その液側が室外膨張弁１２に接続されており、ガス側が四路切換弁１０に接続されている。
【００３０】
室外膨張弁１２は、冷房運転時には室外熱交換器１１において放熱された冷媒を室内熱交換器５１に送る前に減圧し、暖房運転時には室内熱交換器５１において放熱された冷媒を室外熱交換器１１に送る前に減圧することが可能な電動膨張弁である。
【００３１】
室外ユニット２の液側閉鎖弁１３には、液冷媒連絡管４の一端が接続されている。室外ユニット２のガス側閉鎖弁１４には、ガス冷媒連絡管５の一端が接続されている。
【００３２】
室外ユニット２の各機器および弁間は、冷媒管１６〜２２によって接続されている。
【００３３】
四路切換弁１０は、圧縮機８の吐出側が室外熱交換器１１側に接続されるとともに圧縮機８の吸入側がガス側閉鎖弁１４側に接続される状態（図１における四路切換弁１０の実線を参照）と、圧縮機８の吐出側がガス側閉鎖弁１４側に接続されるとともに圧縮機８の吸入側が室外熱交換器１１側に接続される状態（図１における四路切換弁１０の破線を参照）と、を切り換えることにより、後述する冷房運転の接続状態と暖房運転の接続状態とを切り換える。
【００３４】
室外ファン１５は、室外ユニット２の内部に配置され、室外空気を吸入して、室外熱交換器１１に室外空気を供給した後に、ユニット外に排出する空気流れを形成する。このように、室外ファン１５によって供給される室外空気は、室外熱交換器１１の冷媒との熱交換における冷却源又は加熱源として用いられる。
【００３５】
室外制御部７２は、室外ユニット２内に設けられており、後述する室内制御部７３と通信可能に接続されることで制御部７０の一部を構成しており、ＣＰＵ、ＲＯＭ、ＲＡＭ等を有している。室外制御部７２は、圧縮機８の駆動周波数と、四路切換弁１０の接続状態と、室外膨張弁１２の弁開度と、室外ファン１５の風量を制御する。
【００３６】
（３）室内ユニット
図２に、室内ユニット３の外観斜視図を示す。図３に、室内ユニット３の天板を取り除いた状態を示す概略平面図を示す。図４に、図３中にＡ−Ａで示す切断面における室内ユニット３の概略側面断面図を示す。
【００３７】
室内ユニット３は、本実施形態では、空調対象空間である室内等の天井に設けられた開口に埋め込まれることで設置されるタイプの室内機である。室内ユニット３は、主として、室内熱交換器５１と、室内ファン５２と、室内ケーシング３０と、フラップ３９と、ベルマウス３３と、ドレンパン３２と、室内制御部７３と、を有している。
【００３８】
室内熱交換器５１は、冷房運転時には室外熱交換器１１から送られてくる冷媒の蒸発器として機能し、暖房運転時には圧縮機８から吐出された冷媒の放熱器として機能する熱交換器である。室内熱交換器５１は、その液側が液冷媒連絡管４の室内側端部に接続されており、ガス側がガス冷媒連絡管５の室内側端部に接続されている。
【００３９】
室内ファン５２は、室内ユニット３のケーシング本体３１の内部に配置された遠心送風機である。室内ファン５２は、室内の空気を後述する化粧パネル３５の吸込口３６を通じて室内ケーシング３０内に吸入し、室内熱交換器５１を通過させた後、化粧パネル３５の吹出口３７を通じて室内ケーシング３０外へ吹き出す空気流れを形成する。このように、室内ファン５２によって供給される室内空気は、室内熱交換器５１の冷媒と熱交換することにより温度が調節される。
【００４０】
室内ケーシング３０は、ケーシング本体３１と、化粧パネル３５と、を主として有している。
【００４１】
ケーシング本体３１は、空調対象空間である室内の天井Ｕに形成された開口に挿入されるようにして配置されており、その平面視において、長辺と短辺とが交互に形成された略８角形状の箱状体であり、下面が開口している。このケーシング本体３１は、天板および天板の周縁部から下方に延びる複数の側板を有している。なお、ケーシング本体３１の平面視における４角の短辺には、天井に対して室内ユニット３を固定するための図示しないボルトがそれぞれ固定されている。なお、各４角におけるボルトに対する固定位置の高さを調節することで、室内ユニット３の化粧パネル３５の上面と天井の下面との隙間を無くすることが可能になる。
【００４２】
化粧パネル３５は、天井Ｕの開口に嵌め込まれるようにして配置されており、ケーシング本体３１の天板および側板よりも平面視における外側にまで広がっており、ケーシング本体３１の下方に室内側から取り付けられる。化粧パネル３５は、内枠３５ａと外枠３５ｂを有している。内枠３５ａの内側には、下方に向けて開口した略四角形状の吸込口３６が形成されている。吸込口３６の上方には、吸込口３６から吸入された空気中の塵埃を除去するためのフィルタ３４が設けられている。外枠３５ｂの内側であって内枠３５ａの外側には、下方から斜め下方に向けて開口した吹出口３７と角部吹出口３８が形成されている。吹出口３７は、化粧パネル３５の平面視における略四角形状の各辺に対応する位置に設けられた、第１吹出口３７ａと、第２吹出口３７ｂと、第３吹出口３７ｃと、第４吹出口３７ｄと、を有している。角部吹出口３８は、化粧パネル３５の平面視における略四角形状の４角に対応する位置に設けられた、第１角部吹出口３８ａと、第２角部吹出口３８ｂと、第３角部吹出口３８ｃと、第４角部吹出口３８ｄと、を有している。外枠３５ｂは、平面視において略四角形状の内縁および外縁を有しており、各角部にそれぞれ対応するように、第１コーナーパネル４１と、第２コーナーパネル４２と、第３コーナーパネル４３と、第４コーナーパネル４４と、を有している。平面視において、第１コーナーパネル４１は第１角部吹出口３８ａの外側に、第２コーナーパネル４２は第２角部吹出口３８ｂの外側に、第３コーナーパネル４３は第３角部吹出口３８ｃの外側に、第４コーナーパネル４４は第４角部吹出口３８ｄの外側に、それぞれ設けられている。第１〜第４コーナーパネル４１〜４４における各コーナーパネル本体の形状はいずれも同一であるため、各コーナーパネル４１〜４４は適宜、設置場所を替えることができる。なお、第１〜４コーナーパネル４１〜４４の上方の空間には、それぞれ室内ユニット３を天井に対して固定するためのボルトが位置している。
【００４３】
フラップ３９は、吹出口３７を通過する空気流れの方向を変更可能な部材である。フラップ３９は、第１吹出口３７ａに配置される第１フラップ３９ａと、第２吹出口３７ｂに配置される第２フラップ３９ｂと、第３吹出口３７ｃに配置される第３フラップ３９ｃと、第４吹出口３７ｄに配置される第４フラップ３９ｄと、を有している。各フラップ３９ａ〜ｄは、室内ケーシング３０の所定の位置において回動可能に軸支されている。
【００４４】
ドレンパン３２は、室内熱交換器５１の下側に配置され、室内熱交換器５１において空気中の水分が凝縮して生じるドレン水を受けとる。このドレンパン３２は、ケーシング本体３１の下部に装着されている。ドレンパン３２には、平面視において、室内熱交換器５１の内側において上下方向に伸びた円筒形状の空間が形成されており、当該空間の内側下方にベルマウス３３が配置されている。ベルマウス３３は、吸込口３６から吸入される空気を室内ファン５２に案内する。また、ドレンパン３２には、平面視において、室内熱交換器５１の外側において上下方向に伸びた複数の吹出流路４７ａ〜ｄ、角部吹出流路４８ａ〜ｃが形成されている。吹出流路４７ａ〜ｄは、下端において第１吹出口３７ａと連通する第１吹出流路４７ａと、下端において第２吹出口３７ｂと連通する第２吹出流路４７ｂと、下端において第３吹出口３７ｃと連通する第３吹出流路４７ｃと、下端において第４吹出口３７ｄと連通する第４吹出流路４７ｄと、を有している。角部吹出流路４８ａ〜ｃは、下端において第１角部吹出口３８ａと連通する第１角部吹出流路４８ａと、下端において第２角部吹出口３８ｂと連通する第２角部吹出流路４８ｂと、下端において第３角部吹出口３８ｃと連通する第３角部吹出流路４８ｃと、を有している。
【００４５】
室内制御部７３は、室外制御部７２と、後述する集合ユニット６０の光源基板６０ａとリモコン７４のリモコン基板７４ａと通信可能に接続されることで構成される制御部７０の一部を構成しており、ＣＰＵ、ＲＯＭ、ＲＡＭ等を有している。室内制御部７３は、室内ファン５２の風量を制御する。
【００４６】
（４）発光ユニット
図５に、発光ユニット９の概略分解斜視図を示す。
【００４７】
発光ユニット９は、室内等の対象空間を区画する天井または壁面に対して固定して用いられるものであり、集合ユニット６０、人検知センサ６４、ユニットケーシング９０、光源用電気配線９７、人検知用電気配線９８、第１タイラップ９９ａ、第２タイラップ９９ｂ等を備えている。
【００４８】
（４−１）集合ユニット
集合ユニット６０は、対象空間の照度を検知して光および／または音を発するための複数の電子部品によって構成されたユニットであり、光源基板６０ａと、光源基板６０ａに実装されたＬＥＤ６１、照度センサ６２およびブザー６３を備えている。集合ユニット６０は、ユニットケーシング９０内部に収容される。
【００４９】
光源基板６０ａは、室内ユニット３のケーシング本体３１の内側に位置している室内制御部７３と光源用電気配線９７を介して接続された制御基板であり、ＣＰＵ、ＲＯＭ、ＲＡＭ等を有して構成されている。光源用電気配線９７は、通信線および電源供給線を含んでいる。具体的には、光源基板６０ａは、光源用電気配線９７のうちの電源供給線を介して室内制御部７３から電源供給を受けつつ、光源用電気配線９７のうちの通信線を介して室内制御部７３との間で通信が可能となっている。このＬＥＤ６１と照度センサ６２とブザー６３が実装された光源基板６０ａは、後述するユニットケーシング９０の内部に収容されている。なお、ＬＥＤ６１と照度センサ６２とブザー６３とは、いずれも同じ光源基板６０ａに実装されることで、基板を１つにまとめて、コンパクト化を図ることができている。
【００５０】
ＬＥＤ６１は、光源基板６０ａの下面に実装されており、室内ユニット３が空調対象とする対象空間を照らすＬｉｇｈｔ Ｅｍｉｔｔｉｎｇ Ｄｉｏｄｅである。具体的には、ＬＥＤ６１は、下方に向けて発した光が、後述するユニットケーシング９０の発光用開口８５とカバーレンズ９０ａを透過して、室内を照らすように設置されている。
【００５１】
照度センサ６２は、光源基板６０ａの下面に実装されており、室内ユニット３が空調対象とする対象空間の照度を検知する。特に限定されないが、照度センサ６２は、例えば、フォトトランジスタ等によって構成される。照度センサ６２は、室内の明かりであって後述するユニットケーシング９０の中央開口８２を通過した明かり（光）を検知する。
【００５２】
ブザー６３は、光源基板６０ａの下面に実装されており、室内ユニット３が空調対象とする対象空間に向けて音を発する。具体的には、ブザー６３は、所定の時間間隔で同じ音が繰り返し出力される警告音を発する。ブザー６３は、下方に向けて発した音が、後述するユニットケーシング９０の中央開口８２を通過して室内に伝えられるように設置されている。
【００５３】
（４−２）人検知センサ
人検知センサ６４は、対象空間における人の在不在を検知するセンサであって、特に限定されないが、例えば、赤外線カメラ等によって構成されている。人検知センサ６４は、対象空間側に向けて膨出した平面視円形の膨出検知部６４ａを有している。人検知センサ６４は、ユニットケーシング９０内部において、集合ユニット６０と同程度の高さ位置において収容される。人検知センサ６４の膨出検知部６４ａは、後述するユニットケーシング９０の下部人検知用開口８４およびレンズ部人検知用開口８１を介して対象空間側に突出するようにして設けられている。人検知センサ６４は、室内ユニット３のケーシング本体３１の内側に位置している室内制御部７３と、人検知用電気配線９８を介して接続されている。具体的には、人検知センサ６４は、人検知用電気配線９８が有する電源供給線を介して室内制御部７３から電源供給を受けつつ、人検知用電気配線９８が有する通信線を介して人の検知結果を室内制御部７３に対して送信することが可能となっている。
【００５４】
（４−３）ユニットケーシング
ユニットケーシング９０は、内部に集合ユニット６０と人検知センサ６４を収容する容器であり、カバーレンズ９０ａと、下部ケーシング９０ｂと、上部ケーシング９０ｃと、を有している。集合ユニット６０と人検知センサ６４とは、発光ユニット９の設置状態において、上方（天井側）から上部ケーシング９０ｃによって、下方（対象空間側）から下部ケーシング９０ｂによって、上下から挟まれるようにして、ユニットケーシング９０内に収容される。カバーレンズ９０ａは、下部ケーシング９０ｂに対して下方から取り付けられることで、発光ユニット９の室内側の部分を構成する。
【００５５】
図６に、上部ケーシング９０ｃを斜め下方から見た外観概略斜視図を示す。図７に、下部ケーシング９０ｂを斜め上方から見た外観概略斜視図を示す。図８に、カバーレンズ９０ａを斜め上方から見た外観概略斜視図を示す。図９に、下部ケーシング９０ｂに対する光源用電気配線９７および人検知用電気配線９８の配置を説明する上面視概略説明図を示す。図１０に、図９の矢印の方向からみた光源用電気配線９７および人検知用電気配線９８とＬＥＤ６１との位置関係を説明する側面視概略説明図を示す。
【００５６】
上部ケーシング９０ｃは、集合ユニット６０と人検知センサ６４を上方から覆いつつ、発光ユニット９を天井に対して設置するための半透明樹脂ケーシングである。上部ケーシング９０ｃは、上部ケーシング本体９３と、配線用開口９１と、第１固定用ネジ穴９５ａと、第２固定用ネジ穴９５ｂと、上部配線ガイドリブ９２と、上部配線用リブ９４と、を有している。上部ケーシング本体９３は、天面９３ａと、上部側面９３ｂと、上部内周円形部９３ｃと、を有している。天面９３ａは、平面視略四角形状の板状部材であり、発光ユニット９の上端面を構成している。上部側面９３ｂは、天面９３ａの周縁部から斜め下方に向けて広がるように延びており、発光ユニット９の上方側面を構成している。上部内周円形部９３ｃは、上面視において上部側面９３ｂの内側に位置しており、略円筒形状が上下方向に延びた形状を有している。ここで、上部側面９３ｂの下端と上部内周円形部９３ｃの下端とは、上部ケーシング９０ｃの最下端として、同一高さ位置となっている。配線用開口９１は、天面９３ａの背面寄りにおいて上下方向である板厚方向に貫通して形成された開口であり、光源用電気配線９７および人検知用電気配線９８が通過する開口である。第１固定用ネジ穴９５ａと第２固定用ネジ穴９５ｂは、天面９３ａのうち配線用開口９１が設けられている側とは反対側（前面寄り）において互いに離れた位置に設けられ、上下方向である板厚方向に貫通して形成された開口であり、図示しないネジが挿入されることで上部ケーシング９０ｃひいては発光ユニット９を天井等の壁面に固定するための開口である。なお、発光ユニット９が施工される天井等の壁のうち、配線用開口９１が設けられている位置に対応する箇所には、穴が開けられることで、天井裏や壁面裏に光源用電気配線９７および人検知用電気配線９８が引きまわされることになる。上部配線ガイドリブ９２は、天面９３ａのうち平面視における第１固定用ネジ穴９５ａ側とは反対側から下方に伸び出したリブである。上部配線ガイドリブ９２は、上部側面９３ｂのうち近接した部分との距離を略一定に保ちながら、当該上部側面９３ｂの部分に沿うようにして伸びている。上部配線ガイドリブ９２の下端は、上部側面９３ｂや上部内周円形部９３ｃの下端よりも上方に位置している。上部配線用リブ９４は、上部配線ガイドリブ９２とこれに近接した上部側面９３ｂの部分との間において、上部側面９３ｂの内側に向けて突出した複数の上下に延びたリブである。なお、上部配線ガイドリブ９２とこれに近接した上部側面９３ｂの部分との間は、上部配線ガイド空間９２Ｓを構成しており、光源用電気配線９７および人検知用電気配線９８の一部を位置させることができる。これにより、光源用電気配線９７および人検知用電気配線９８を、上部配線ガイドリブ９２の外側と上部配線用リブ９４の内側との間に挟持させることが可能となっている。
【００５７】
下部ケーシング９０ｂは、集合ユニット６０と人検知センサ６４を下方から覆いつつ、これらを内部に収容するための半透明樹脂ケーシングである。下部ケーシング９０ｂは、略水平に広がった下部ケーシング本体８３と、中央開口８２と、下部人検知用開口８４と、人検知用壁面８４ｗと、発光用開口８５と、発光用壁面８５ｗと、発光経路面８５ａと、下部配線ガイドリブ８６と、を有している。下部ケーシング本体８３は、平面視において、上部ケーシング９０ｃの輪郭に対応した形状を有している。下部ケーシング本体８３は、主面８３ａと、下部側面８３ｂと、下部内周円形部８３ｃと、を有している。主面８３ａは、平面視略四角形状の板状部材であり、略水平方向に広がっている。下部側面８３ｂは、主面８３ａの周縁部から上方に向けて僅かに延びだしている。下部内周円形部８３ｃは、主面８３ａのうち平面視における下部側面８３ｂの内側から上方に向けて略円筒形状が延びた形状を有している。下部内周円形部８３ｃの上端は、下部側面８３ｂの上端よりもさらに上方に位置している。なお、詳細は省略するが、下部ケーシング９０ｂの下部内周円形部８３ｃと上部ケーシング９０ｃの上部内周円形部９３ｃとは、互いに嵌合可能な形状関係を有している。ここで、下部内周円形部８３ｃは、図１０に示すように、上部ケーシング９０ｃと下部ケーシング９０ｂが嵌合した状態で、目地９６を構成することとなる。なお、当該目地９６において、上部ケーシング９０ｃと下部ケーシング９０ｂとの間の隙間が、少なくとも部分的に、０．１ｍｍ以上１ｍｍ以下生じていてもよい。中央開口８２は、下部ケーシング本体８３の主面８３ａの平面視における中央近傍において上下に貫通した開口である。中央開口８２の下方には下方に向かうほど広がるように形成された筒状の中央開口用壁面８２ａが設けられている。中央開口８２は、集合ユニット６０が設置された状態で、中央開口８２の上部に照度センサ６２およびブザー６３が位置することとなる。人検知用壁面８４ｗは、人検知センサ６４を下部ケーシング本体８３の主面８３ａの上部の特定の位置に収容させるために、人検知センサ６４の周囲を覆うようにして主面８３ａから上方に延びるようにして立設している。下部人検知用開口８４は、下部ケーシング本体８３の主面８３ａの平面視において、中央開口８２とは異なる位置に設けられ、上下方向に貫通した開口である。人検知用壁面８４ｗで囲まれた人検知センサ用空間６４Ｓに人検知センサ６４が収容されると、人検知センサ６４の膨出検知部６４ａは下部人検知用開口８４に位置することとなる。発光用開口８５は、下部ケーシング本体８３の主面８３ａの平面視において、中央開口８２に対する下部人検知用開口８４側とは反対側に設けられ、上下方向に貫通した開口である。発光用壁面８５ｗは、集合ユニット６０を下部ケーシング本体８３の主面８３ａの上部の特定の位置に収容させるために、集合ユニット６０の周囲を覆うようにして主面８３ａから上方に延びるようにして立設している。これにより、発光用開口８５と中央開口８２とは、発光用壁面８５ｗによって囲まれた集合ユニット用空間６０Ｓ内に位置する。この集合ユニット用空間６０Ｓに集合ユニット６０が収容されると、ＬＥＤ６１が発光用開口８５の上方に位置することとなり、照度センサ６２およびブザー６３が中央開口８２の上方に位置することとなる。なお、発光経路面８５ａは、発光用開口８５の下方において、下方に向かうほど広がるように形成された筒状部分である。下部配線ガイドリブ８６は、下部ケーシング本体８３の主面８３ａの平面視において、発光用開口８５から最も近い下部側面８３ｂと、発光用開口８５と、の間において、両者を隔てるように前後方向に広がったリブであって、主面８３ａから上方に向けて伸び出している。発光用壁面８５ｗのうちの下部配線ガイドリブ８６と対向する部分と下部配線ガイドリブ８６との間は、下部配線ガイド空間８６Ｓを構成しており、光源用電気配線９７および人検知用電気配線９８の一部を位置させることができる。なお、人検知用壁面８４ｗと発光用壁面８５ｗと下部配線ガイドリブ８６との各上端部は、上部内周円形部９３ｃの上端部よりもさらに上方に位置している。
【００５８】
カバーレンズ９０ａは、下部ケーシング９０ｂの下面に対して固定される透明樹脂レンズである。カバーレンズ９０ａは、略水平に広がったカバーレンズ本体８０と、レンズ部人検知用開口８１と、レンズ固定突起８０ａと、レンズ固定爪８０ｂと、を有している。カバーレンズ本体８０は、平面視において、下部ケーシング９０ｂの主面８３ａの下面の輪郭に対応した形状を有している。レンズ部人検知用開口８１は、カバーレンズ本体８０において、人検知センサ６４の膨出検知部６４ａに対応する箇所が板厚方向に開口することで形成されている。レンズ固定突起８０ａは、カバーレンズ本体８０の４角において上部に向けて突出するように設けられている。レンズ固定爪８０ｂは、カバーレンズ本体８０のレンズ部人検知用開口８１の外側と、これの反対側の端部において、上部に突出するように設けられた爪部である。カバーレンズ９０ａは、レンズ固定突起８０ａとレンズ固定爪８０ｂを介して、下部ケーシング９０ｂに固定される。
【００５９】
（５）光源用電気配線および人検知用電気配線の配置
上部ケーシング９０ｃの配線用開口９１を介して、発光ユニット９のユニットケーシング９０の内部に引き込まれた光源用電気配線９７および人検知用電気配線９８は、図９に示すように、第１タイラップ９９ａにおいて結びつけられることでまとめられ、上部配線ガイド空間９２Ｓおよび下部配線ガイド空間８６Ｓを通過した後、第２タイラップ９９ｂにおいて結びつけられることでまとめられる。光源用電気配線９７は、第２タイラップ９９ｂを通過した後、集合ユニット６０まで延びて、集合ユニット６０における図示しない配線接続箇所に接続されている。また、人検知用電気配線９８は、第２タイラップ９９ｂを通過した後、人検知センサ６４まで延びて、人検知センサ６４における図示しない配線接続箇所に接続されている。なお、光源用電気配線９７および人検知用電気配線９８の各他端は、天井裏の空間を介して室内ユニット３の室内制御部７３に接続されている。
【００６０】
ここで、光源用電気配線９７および人検知用電気配線９８は、図１０に示すように、平面視において、上部ケーシング９０ｃと下部ケーシング９０ｂが嵌合した状態で周囲に形成される目地９６のうちＬＥＤ６１から最も近い部分Ｐと、ＬＥＤ６１と、の間に位置することとなる。そして、光源用電気配線９７および人検知用電気配線９８は、図１０に示すように、発光ユニット９の側面視においても、目地９６のうちＬＥＤ６１から最も近い部分Ｐと、ＬＥＤ６１と、の間を通過しつつ、目地９６に沿うように配置されることとなる。
【００６１】
（６）リモコン
図１１に、空気調和装置１の制御ブロック構成図を示す。
【００６２】
室内ユニット３が空調を行う対象空間には、リモコン７４が設けられている。
【００６３】
リモコン７４は、室外制御部７２や室内制御部７３と通信可能に接続されており、ＣＰＵ、ＲＯＭ、ＲＡＭ等を有するリモコン基板７４ａと、入力部７４ｂと、ディスプレイ７４ｃと、を有している。
【００６４】
入力部７４ｂは、ユーザからの各種設定を受け付ける。
【００６５】
ディスプレイ７４ｃは、空気調和装置１の運転状態や設定温度や異常の状態等の表示出力が可能である。
【００６６】
（７）制御部
空気調和装置１は、室外制御部７２と、リモコン基板７４ａと、室内制御部７３と、光源基板６０ａと、によって構成された制御部７０を有している。
【００６７】
具体的には、室外制御部７２は、圧縮機８、四路切換弁１０、室外膨張弁１２、室外ファン１５等の制御が可能なように接続されている。室内制御部７３は、人検知センサ６４からの信号および光源基板６０ａからの各種信号を受信可能であり、室内ファン５２の制御が可能なように接続されている。光源基板６０ａは、照度センサ６２からの信号を受信可能であり、ＬＥＤ６１やブザー６３等の制御が可能なように接続されている。リモコン基板７４ａは、入力部７４ｂからの信号を受信可能であり、ディスプレイ７４ｃに各種の表示出力が可能なように接続されている。
【００６８】
空気調和装置１の各種制御動作や情報処理は、当該制御部７０が実行する。
【００６９】
（８）空気調和装置の動作
次に、図１を用いて、空気調和装置１の動作について説明する。空気調和装置１では、圧縮機８、室外熱交換器１１、室外膨張弁１２、室内熱交換器５１の順に冷媒を流す冷房運転と、圧縮機８、室内熱交換器５１、室外膨張弁１２、室外熱交換器１１の順に冷媒を流す暖房運転と、が行われる。
【００７０】
（８−１）冷房運転
冷房運転時には、室外熱交換器１１が冷媒の放熱器となり室内熱交換器５１が冷媒の蒸発器となるように、四路切換弁１０の接続状態が切り換えられる（図１の実線参照）。冷媒回路６において、冷凍サイクルの低圧のガス冷媒は、圧縮機８に吸入され、冷凍サイクルの高圧になるまで圧縮された後に吐出される。圧縮機８から吐出された高圧のガス冷媒は、四路切換弁１０を通じて、室外熱交換器１１に送られる。室外熱交換器１１に送られた高圧のガス冷媒は、冷媒の放熱器として機能する室外熱交換器１１において、室外ファン１５によって冷却源として供給される室外空気と熱交換を行って放熱して、高圧の液冷媒になる。この高圧の液冷媒は、室外膨張弁１２を通過する際に冷凍サイクルにおける低圧になるまで減圧され、気液二相状態の冷媒となって、液側閉鎖弁１３および液冷媒連絡管４を通じて、室内ユニット３に送られる。
【００７１】
低圧の気液二相状態の冷媒は、室内熱交換器５１において、冷房運転時は室内ファン５２によって加熱源として供給される室内空気と熱交換を行って蒸発する。これにより、室内熱交換器５１を通過する空気は冷却され、室内の冷房が行われる。室内熱交換器５１において蒸発した低圧のガス冷媒は、ガス冷媒連絡管５を通じて、室外ユニット２に送られる。
【００７２】
室外ユニット２に送られた低圧のガス冷媒は、ガス側閉鎖弁１４、四路切換弁１０およびアキュムレータ７を通じて、再び、圧縮機８に吸入される。冷房運転では、以上のようにして、冷媒が冷媒回路６を循環する。
【００７３】
（８−２）暖房運転
暖房運転時には、室外熱交換器１１が冷媒の蒸発器となり室内熱交換器５１が冷媒の放熱器となるように、四路切換弁１０の接続状態が切り換えられる（図１の破線参照）。冷媒回路６において、冷凍サイクルの低圧のガス冷媒は、圧縮機８に吸入され、冷凍サイクルの高圧になるまで圧縮された後に吐出される。圧縮機８から吐出された高圧のガス冷媒は、四路切換弁１０、ガス側閉鎖弁１４およびガス冷媒連絡管５を通じて、室内ユニット３に送られる。
【００７４】
高圧のガス冷媒は、室内熱交換器５１において、室内ファン５２によって冷却源として供給される室内空気と熱交換を行って放熱して、高圧の液冷媒になる。これにより、室内熱交換器５１を通過する空気は加熱され、室内の暖房が行われる。室内熱交換器５１で放熱した高圧の液冷媒は、液冷媒連絡管４を通じて、室外ユニット２に送られる。
【００７５】
室外ユニット２に送られた高圧の液冷媒は、液側閉鎖弁１３を通じて、室外膨張弁１２において冷凍サイクルの低圧まで減圧され、低圧の気液二相状態の冷媒になる。室外膨張弁１２で減圧された低圧の気液二相状態の冷媒は、冷媒の蒸発器として機能する室外熱交換器１１において、室外ファン１５によって加熱源として供給される室外空気と熱交換を行って蒸発して、低圧のガス冷媒になる。この低圧のガス冷媒は、四路切換弁１０およびアキュムレータ７を通じて、再び、圧縮機８に吸入される。暖房運転では、以上のようにして、冷媒が冷媒回路６を循環する。
【００７６】
（９）ＬＥＤおよびブザーの制御
図１２に、ＬＥＤ６１およびブザー６３の制御フローチャートを示す。
【００７７】
ステップＳ１０では、室内制御部７３が所定の時間条件を満たしているか否かを判断する。当該所定の時間条件としては、特に限定されないが、例えば、一日のうちの所定の時間帯であることという条件とすることができ、室内制御部７３が有するメモリ等に予め格納されている。なお、ユーザは、リモコン７４の入力部７４ｂを介して当該所定の時間条件を設定することが可能となっている。これにより、ＬＥＤ６１の点灯やブザー６３からの警告音の出力を、特定の時間帯に限って行わせること等が可能となり、当該特定の時間帯における防犯効果が得られる。ここで、所定の時間条件を満たすと判断した場合にはステップＳ１１に移行し、所定の時間条件を満たさないと判断した場合にはステップＳ１０を繰り返す。
【００７８】
ステップＳ１１では、室内制御部７３が室内の照度が予め定めた所定照度以下であるか否かを判断する。具体的には、室内制御部７３は、光源基板６０ａを介して照度センサ６２が検知した照度値を把握し、当該照度値を所定照度と比較することで判断する。所定照度以下（暗い）と判断した場合にはステップＳ１２に移行し、所定照度以下ではない（暗くはない）と判断した場合にはステップＳ１０を繰り返す。
【００７９】
ステップＳ１２では、室内制御部７３が室内に人が存在しているか否かを判断する。具体的には、室内制御部７３は、人検知センサ６４からの検知信号を受信することで、室内における人の存在の有無を判断する。人が存在すると判断した場合にはステップＳ１３に移行し、人が存在しないと判断した場合にはステップＳ１０に戻る。
【００８０】
ステップＳ１３では、室内制御部７３は、制御時の発光条件（ステップＳ１０〜１２）を満たすと判断し、ＬＥＤ６１を発光させるための信号及びブザー６３に警告音を出させるための信号を送信する。具体的には、室内制御部７３は、光源基板６０ａに向けて、ＬＥＤ６１を発光させるための制御信号を送信し、ブザー６３に警告音を出させるように制御信号を送信する。これにより、当該制御信号を受信した光源基板６０ａが、ＬＥＤ６１を発光させ、ブザー６３に警告音を出させるように、ＬＥＤ６１およびブザー６３を制御する。
【００８１】
ステップＳ１４では、室内制御部７３は照度センサ６２が検知する照度が変化したか否かを判断する。具体的には、室内制御部７３は、ステップＳ１３においてＬＥＤ６１を発光させるための制御信号を送信する前と後とで照度センサ６２が検知する照度が変化したか否かを判断する。ここで、照度センサ６２が検知する照度が変化したと判断した場合にはステップＳ１６に移行し、変化していないと判断した場合にはステップＳ１５に移行する。
【００８２】
ステップＳ１５では、室内制御部７３は、ＬＥＤ６１が異常であると判断し、リモコン７４のディスプレイ７４ｃに対して、ＬＥＤ６１が異常であることを示す所定の異常コードを表示出力させる。
【００８３】
ステップＳ１６では、室内制御部７３は、ＬＥＤ６１を発光させ、ブザー６３に警告音を出させるように制御信号を送信してから所定時間が経過したか否かを判断する。ここで、所定時間としては特に限定されないが、例えば、１分以上５分未満の所定の時間長さとすることができる。所定時間が経過したと判断した場合にはステップＳ１７に移行し、所定時間が経過していないと判断した場合には所定時間が経過するまでＬＥＤ６１の発光およびブザー６３からの警告音の出力を続ける。
【００８４】
ステップＳ１７では、室内制御部７３は、ＬＥＤ６１の発光を停止させ、ブザー６３から警告音も止めて、ステップＳ１０に戻り、上記処理を繰り返す。
【００８５】
（１０）特徴
（１０−１）
本実施形態の発光ユニット９およびこれを備える空気調和装置１では、発光ユニット９における光が漏れ出しやすい箇所とＬＥＤ６１との間に、光源用電気配線９７を配置させている。このため、ＬＥＤ６１からの光が、光が漏れ出しやすい箇所に到達しにくい。したがって、ＬＥＤ６１からの発光ユニット９のユニットケーシング９０外への光の漏れ出しを抑制することができている。
【００８６】
特に、当該光の漏れ出しを、ＬＥＤ６１を発光させるために必要となる光源用電気配線９７を漏れ出し抑制部材として流用することが可能になっている。
【００８７】
また、上記実施形態では、ＬＥＤ６１を発光させるために必要となる光源用電気配線９７だけでなく、人検知センサ６４に接続された人検知用電気配線９８も、光が漏れ出しやすい箇所とＬＥＤ６１との間に位置しているため、光の漏れ出しをより効果的に抑制することが可能になっている。
【００８８】
なお、発光ユニット９のユニットケーシング９０の下部ケーシング９０ｂが有する発光用開口８５を介してＬＥＤ６１の光が対象空間側に届けられるが、当該発光用開口８５を介して対象空間に到達する光は、漏れだした光ではなく、発光ユニット９による本来意図した光である。発光ユニット９における光が漏れ出しやすい箇所とは、ユニットケーシング９０のうち、このような本来ＬＥＤ６１からの光を通過させる目的である発光用開口８５を除いた部分における、ユニットケーシング９０外にまで光が届きやすい箇所を意味している。例えば、ユニットケーシング９０の目地９６は、ユニットケーシング９０の下部ケーシング９０ｂが有する主面８３ａや下部側面８３ｂよりも、ＬＥＤ６１からの光が漏れ出しやすい箇所である。
【００８９】
（１０−２）
本実施形態の発光ユニット９およびこれを備える空気調和装置１では、発光ユニット９のユニットケーシング９０を構成する上部ケーシング９０ｃと下部ケーシング９０ｂとの境界部分である目地９６とＬＥＤ６１との間に、光源用電気配線９７を位置させている。このような、上部ケーシング９０ｃと下部ケーシング９０ｂとの境界部分である目地９６からは、ＬＥＤ６１からの光が特に漏れ出しやすいが、このような特に光の漏れ出しやすい目地９６からの漏れ出しを光源用電気配線９７によって抑制することが可能になっている。
【００９０】
また、人検知用電気配線９８も、ＬＥＤ６１と目地９６の間に位置しているため、目地９６からの光の漏れ出しをより効果的に抑制することができている。
【００９１】
（１０−３）
本実施形態の発光ユニット９およびこれを備える空気調和装置１では、ユニットケーシング９０の目地９６とＬＥＤ６１との間のうち、目地９６に近い位置に光源用電気配線９７を配置させている。これにより、ＬＥＤ６１からの光が光源用電気配線９７を回折したとしても、目地９６に到達する光を抑制させることが可能になっている。
【００９２】
また、人検知用電気配線９８も、同様に、目地９６に近い位置に配置されているため、上記効果をさらに高めることができている。
【００９３】
（１０−４）
本実施形態の発光ユニット９およびこれを備える空気調和装置１では、光源用電気配線９７を、目地９６の内側に沿うようにして配置させているため、目地９６の広範囲からの光の漏れ出しを抑制することができている。
【００９４】
また、人検知用電気配線９８も、目地９６の内側に沿うように設けられているため、目地９６からの光の漏れ出しをより効果的に抑制することができている。
【００９５】
特に、ＬＥＤ６１よりも目地９６に近い位置で目地９６に沿うように光源用電気配線９７や人検知用電気配線９８を配置させることで、目地９６からの光の漏れ出し抑制効果を大きくすることができている。
【００９６】
（１０−５）
本実施形態の発光ユニット９およびこれを備える空気調和装置１では、ユニットケーシング９０における光が漏れ出しやすい箇所とＬＥＤ６１との間に光源用電気配線９７を配置させやすいように、下部配線ガイドリブ８６および上部配線ガイドリブ９２が設けられている。このため、光源用電気配線９７を、ＬＥＤ６１からの光の漏れ出しを抑制させる位置に配置させやすい。
【００９７】
また、人検知用電気配線９８も、同様に、ＬＥＤ６１からの光の漏れ出しを抑制させる位置に配置させやすい。
【００９８】
しかも、下部ケーシング９０ｂに設けられた下部配線ガイドリブ８６については、ＬＥＤ６１と光が漏れ出しやすい箇所との間において広がるように設けられているため、光源用電気配線９７や人検知用電気配線９８の特定の位置への配置を容易にするための部分を遮光壁として用いて、ＬＥＤ６１からの光の漏れ出しの抑制効果を得ることが可能になっている。
【００９９】
（１１）変形例
（１１−１）変形例Ａ
上記実施形態では、集合ユニット６０および人検知センサ６４が別体であり、それぞれ、通信線および電源供給線（光源用電気配線９７、人検知用電気配線９８）を介して室内制御部７３と接続されている場合について例に挙げて説明した。
【０１００】
しかし、図１３に示すように、ＬＥＤ６１と、照度センサ６２と、ブザー６３と、人検知センサ６４と、が同一の制御基板である光源基板１６０ａに実装されており、当該光源基板１６０ａと室内制御部７３とが、通信線および電源供給線を介して接続されていてもよい。
【０１０１】
また、発光ユニット９の集合ユニット６０、人検知センサ６４または光源基板１６０ａは、室内ユニット３の室内制御部７３を介して電源供給を受ける場合に限られず、室内ユニット３等とは独立した電源供給ラインを用いて電源供給を受けるようにしてもよい。
【０１０２】
（１１−２）変形例Ｂ
上記実施形態では、ＬＥＤ６１やブザー６３の制御を室内制御部７３が主体となって行う場合を例に挙げて説明した。
【０１０３】
しかし、集合ユニット６０としては、照度センサ６２の検知照度を自ら判断することで、自らＬＥＤ６１やブザー６３の制御を行うようにしてもよい。
【０１０４】
また、例えば、変形例Ａに記載の光源基板１６０ａのように、ＬＥＤ６１と、照度センサ６２と、ブザー６３と、人検知センサ６４と、が同一の制御基板である光源基板１６０ａに実装されている場合には、発光ユニット９の光源基板１６０ａ自身が、照度センサ６２および人検知センサ６４からの検知結果を用いてＬＥＤ６１やブザー６３の制御を行うようにしてもよい。
【０１０５】
（１１−３）変形例Ｃ
上記実施形態では、ＬＥＤ６１からの光がユニットケーシング９０の目地９６を介して外部に漏れ出すことを光源用電気配線９７や人検知用電気配線９８により抑制させる場合を例に挙げて説明した。
【０１０６】
これに対して、発光ユニット９におけるＬＥＤ６１からの光が漏れ出しやすい箇所としては、当該目地９６に限られるものではなく、例えば、照度センサ６２が対象空間の照度を検知するために下部ケーシング９０ｂに設けられている開口である中央開口８２を介した光の漏れ出しを抑制させるために、光源用電気配線９７や人検知用電気配線９８の少なくとも一部を、ＬＥＤ６１と中央開口８２との間に配置させるようにしてもよい。
【０１０７】
また、例えば、人検知センサ６４の膨出検知部６４ａと、下部ケーシング９０ｂの下部人検知用開口８４やカバーレンズ９０ａのレンズ部人検知用開口８１と、の隙間を介した光の漏れ出しを抑制させるために、光源用電気配線９７や人検知用電気配線９８の少なくとも一部を、膨出検知部６４ａと下部人検知用開口８４との隙間や膨出検知部６４ａとレンズ部人検知用開口８１との隙間に沿うように配置させてもよい。
【０１０８】
（１１−４）変形例Ｄ
上記実施形態では、発光ユニット９が室内ユニット３とは別体として設けられている場合を例に挙げて説明した。
【０１０９】
これに対して、発光ユニット９は、空気調和装置の室内ユニットと一体として設けられていてもよい。例えば、上記実施形態の室内ユニット３の化粧パネル３５が有する第１〜第４コーナーパネル４１〜４４のいずれかを下部ケーシングとして用い、これに対応した上部ケーシングを設け、これらの下部ケーシングと上部ケーシングとで囲われる空間内に光源基板６０ａ、ＬＥＤ６１、照度センサ６２、ブザー６３、人検知センサ６４等を収容するようにしてもよい。
【０１１０】
以上、本開示の実施形態及び変形例を説明したが、特許請求の範囲に記載された本開示の趣旨及び範囲から逸脱することなく、形態や詳細の多様な変更が可能なことが理解されるであろう。
【符号の説明】
【０１１１】
１  空気調和装置
２  室外ユニット（空調室外ユニット）
３  室内ユニット（空調室内ユニット）
９  発光ユニット
１１  室外熱交換器
３０  室内ケーシング
３５  化粧パネル
５１  室内熱交換器
６０  集合ユニット
６０ａ  光源基板
６１  ＬＥＤ（光源部）
６２  照度センサ
６３  ブザー
６４  人検知センサ
６４ａ  膨出検知部
７０  制御部
７２  室外制御部
７３  室内制御部
７４  リモコン
７４ａ  リモコン基板
７４ｃ  ディスプレイ
８１  レンズ部人検知用開口
８２  中央開口
８４  下部人検知用開口
８５  発光用開口
８５ａ  発光経路面
８６  下部配線ガイドリブ（リブ）
９０  ユニットケーシング
９０ａ  カバーレンズ
９０ｂ  下部ケーシング（ケーシング部品）
９０ｃ  上部ケーシング（ケーシング部品）
９１  配線用開口
９２  上部配線ガイドリブ（リブ）
９２Ｓ  上部配線ガイド空間
９４  上部配線用リブ
９６  目地
９７  光源用電気配線（電気配線）
９８  人検知用電気配線
【先行技術文献】
【特許文献】
【０１１２】
【特許文献１】特開２０１３−２０２９６号公報